(57)【要約】  制御チャネルに対する送信電力制御の影響によるデータチャネルの適応制御の精度劣化を防止することができる基地局。この基地局において、各符号化部（１１）は、移動局毎のＳＣＣＨ（Shared Control Channel）に対して符号化処理を行い、各変調部（１２）は、符号化後のＳＣＣＨに対して変調処理を行い、配置部（１０２）は、各移動局へのＳＣＣＨを、ＯＦＤＭシンボルを構成する複数のサブキャリアのいずれかに配置し、送信電力制御部（１０３）は、各移動局から報告された受信品質情報に基づいてＳＣＣＨの送信電力を制御する。配置部（１０２）は、送信電力制御がなされる複数のＳＣＣＨを、複数のリソースブロック各々における組合せが同一になるように複数のサブキャリアのいずれかに配置する。
2008020623.tif 000002
【特許請求の範囲】
【請求項１】
複数の制御チャネルを、複数のリソースブロック各々における組合せが同一になるように複数のサブキャリアのいずれかに配置する配置手段と、
前記複数の制御チャネルが前記複数のサブキャリアに配置されたマルチキャリア信号を生成する生成手段と、
前記マルチキャリア信号を送信する送信手段と、
を具備する無線通信基地局装置。
【請求項２】
前記複数の制御チャネルの総送信電力を一定としたまま前記複数の制御チャネル各々の送信電力を制御する制御手段、をさらに具備する、
請求項１記載の無線通信基地局装置。
【請求項３】
前記マルチキャリア信号を構成する前記複数のサブキャリアが複数のサブバンドに分割されており、
前記配置手段は、さらに、各サブバンド内における前記複数の制御チャネルの配置パターンを互いに異ならせて前記複数の制御チャネルを前記複数のサブキャリアのいずれかに配置する、
請求項１記載の無線通信基地局装置。
【請求項４】
前記配置手段は、さらに、前記複数の制御チャネルの配置パターンを隣接セル間で互いに異ならせて前記複数の制御チャネルを前記複数のサブキャリアのいずれかに配置する、
請求項１記載の無線通信基地局装置。
【請求項５】
複数の制御チャネルを、複数のリソースブロック各々における組合せが同一になるように複数のサブキャリアのいずれかに配置する、
制御チャネル配置方法。
【発明の詳細な説明】
【技術分野】
【０００１】
本発明は、無線通信基地局装置および制御チャネル配置方法に関する。
【背景技術】
【０００２】
近年、無線通信、特に移動体通信では、音声以外に画像やデータなどの様々な情報が伝送の対象になっている。今後は、さらに高速な伝送に対する要求がさらに高まるであろうと予想され、高速伝送を行うために、限られた周波数資源をより効率よく利用して、高い伝送効率を実現する無線伝送技術が求められている。【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。【０００４】
このＯＦＤＭを下り回線に用い、複数の無線通信移動局装置（以下、単に移動局という）へのデータを複数のサブキャリアに周波数多重する場合に、周波数スケジューリング送信および周波数ダイバーシチ送信を行うことが検討されている（例えば、非特許文献１参照）。【０００５】
周波数スケジューリング送信では、無線通信基地局装置（以下、単に基地局という）が各移動局での周波数帯域毎の受信品質に基づいて各移動局に対して適応的にサブキャリアを割り当てるため、最大限のマルチユーザダイバーシチ効果を得ることができる。一方で、周波数スケジューリングは、通常、隣接するサブキャリアをいくつかまとめてブロック化したサブバンド毎に行われるため、それほど高い周波数ダイバーシチ効果は得られない。【０００６】
非特許文献１では、このような周波数スケジューリング送信を行うためのチャネルをLocalized Channel（以下、Ｌｃｈという）と称している。Ｌｃｈは、サブバンド単位や、連続した複数のサブキャリア単位で配置される。また、ＬｃｈはLocalized Resource Block（以下、Ｌ−ＲＢという）と称されることもある。【０００７】
なお、非特許文献１では、１フレーム（１０ｍｓ）が２０サブフレーム（１サブフレーム＝０.５ｍｓ）に分割され、１サブフレームに６個または７個のＯＦＤＭシンボルが含まれる例が示されている。【０００８】
これに対し、周波数ダイバーシチ送信は、各移動局へのデータを全帯域のサブキャリアに分散させて配置するため、高い周波数ダイバーシチ効果を得ることができる。一方で、周波数ダイバーシチ送信は、各移動局での受信品質と無関係に行われるため、周波数スケジューリング送信のようなマルチユーザダイバーシチ効果を得られない。非特許文献１では、このような周波数ダイバーシチ送信を行うためのチャネルをDistributed Channel（以下、Ｄｃｈという）と称している。なお、ＤｃｈはDistributed Resource Block（以下、Ｄ−ＲＢという）と称されることもある。【０００９】
また、ＬｃｈおよびＤｃｈについては、適応変調等の適応制御がサブフレーム毎に行われることがある。例えば、基地局は、所要誤り率を満たすべく、移動局からフィードバックされた受信品質情報に基づいて、ＬｃｈのデータおよびＤｃｈのデータの変調方式および符号化率（Modulation and Coding Scheme：ＭＣＳ）を適応制御する。【００１０】
基地局は、適応制御を行う場合、各サブフレームでのデータ送信先の移動局に対してサブフレーム毎に制御情報を送信する。通常、制御情報はＳＣＣＨ（Shared Control Channel）で送信される。また、制御情報には、移動局ＩＤ、ＲＢ（Resource Block）番号、ＭＣＳ情報等が含まれる。１サブフレームあたりのＳＣＣＨは、そのサブフレームでデータを送信される移動局数だけ存在する。また、ＳＣＣＨでの制御情報はデータ送信に先立って各サブフレームの先頭で送信される。さらに、ＳＣＣＨに対しては移動局毎に送信電力制御が行われる。つまり、セル境界付近に位置する移動局のＳＣＣＨは高い送信電力に制御され、セル中心部分に位置する移動局のＳＣＣＨは低い送信電力に制御される。これにより、限られた電力リソースを移動局間で融通しあって効率よく利用することができる。
【非特許文献１】R1-050604 “Downlink Channelization and Multiplexing for EUTRA”3GPP TSG RAN WG1 Ad Hoc on LTE, Sophia Antipolis, France, 20-21 June, 2005
【発明の開示】
【発明が解決しようとする課題】
【００１１】
周波数スケジューリング送信および周波数ダイバーシチ送信を行う場合、基地局からデータを送信される移動局はサブフレーム毎に変化するため、移動局毎の各ＳＣＣＨの送信電力はサブフレーム毎に変化する。また、基地局毎に送信タイミングが異なる基地局間非同期システムの場合には、ＳＣＣＨが隣接セルのデータチャネルに対する干渉となる。よって、ＳＣＣＨの送信電力がサブフレーム毎に変化すると、データチャネルがＳＣＣＨから受ける干渉もサブフレーム毎に変化してしまう。【００１２】
ここで、データチャネルに対する周波数スケジューリングおよび適応制御は過去のサブフレームで測定された受信品質に基づいて行われるため、データチャネルがＳＣＣＨから受ける干渉がサブフレーム毎に変化してデータチャネルの受信品質がサブフレーム毎に変化してしまうと、データ送信時に現在の正確な受信品質情報を用いた適応制御を行うことができなくなってしまう。つまり、適応制御の精度が劣化してしまう。その結果、データのスループットが低下する。【００１３】
本発明の目的は、適応制御の精度の劣化を防止することができる基地局および制御チャネル配置方法を提供することである。
【課題を解決するための手段】
【００１４】
本発明の基地局は、複数の制御チャネルを、複数のリソースブロック各々における組合せが同一になるように複数のサブキャリアのいずれかに配置する配置手段と、前記複数の制御チャネルが前記複数のサブキャリアに配置されたマルチキャリア信号を生成する生成手段と、前記マルチキャリア信号を送信する送信手段と、を具備する構成を採る。
【発明の効果】
【００１５】
本発明によれば、適応制御の精度の劣化を防止することができる。
【図面の簡単な説明】
【００１６】
【図１】本発明の実施の形態に係る基地局の構成を示すブロック図
【図２】本発明の実施の形態に係るＳＣＣＨ配置例１
【図３】本発明の実施の形態に係るＳＣＣＨ配置例２（サブフレーム１）
【図４】本発明の実施の形態に係るＳＣＣＨ配置例２（サブフレーム２）
【図５】本発明の実施の形態に係るＳＣＣＨ配置例３
【図６】本発明の実施の形態に係るＳＣＣＨ配置例４
【図７】本発明の実施の形態に係るＳＣＣＨ配置例５
【図８】本発明の実施の形態に係るＳＣＣＨ配置例６
【図９】本発明の実施の形態に係るＳＣＣＨ配置例７
【図１０】本発明の実施の形態に係るＳＣＣＨ配置例８（セル１）
【図１１】本発明の実施の形態に係るＳＣＣＨ配置例８（セル２）
【図１２】本発明の実施の形態に係るＳＣＣＨ配置例９での配置パターン１〜５
【図１３】本発明の実施の形態に係るＳＣＣＨ配置例９（セル１）
【図１４】本発明の実施の形態に係るＳＣＣＨ配置例９（セル２）
【図１５】本発明の実施の形態に係るＳＣＣＨ配置例１０（セル１）
【図１６】本発明の実施の形態に係るＳＣＣＨ配置例１０（セル２）
【図１７】本発明の実施の形態に係るＳＣＣＨ配置例１１での配置パターン１〜５
【図１８】本発明の実施の形態に係るＳＣＣＨ配置例１１（セル２）
【図１９】本発明の実施の形態に係るＳＣＣＨ配置例１２（セル１）
【図２０】本発明の実施の形態に係るＳＣＣＨ配置例１２（セル２）
【図２１】本発明の実施の形態に係るＳＣＣＨ配置例１３
【発明を実施するための最良の形態】
【００１７】
以下、本発明の実施の形態について、添付図面を参照して詳細に説明する。【００１８】
本実施の形態に係る基地局１００の構成を図１に示す。基地局１００は、複数のＲＢ（Resource Block）毎にデータチャネルの適応制御が行われる移動体通信システムにおいて使用されるものである。【００１９】
基地局１００において、ＳＣＣＨ用の符号化部１１および変調部１２からなる符号化・変調部１０１−１〜１０１−ｎ、データチャネル用の符号化部２１および変調部２２からなる符号化・変調部１０４−１〜１０４−ｎ、および、復調部３１および復号部３２からなる復調・復号部１１４−１〜１１４−ｎは、基地局１００が通信可能な移動局の数ｎだけ備えられる。また、符号化・変調部１０１−１〜１０１−ｎ、符号化・変調部１０４−１〜１０４−ｎ、および、復調・復号部１１４−１〜１１４−ｎは、移動局１〜ｎにそれぞれ対応して備えられる。【００２０】
符号化・変調部１０１−１〜１０１−ｎにおいて、各符号化部１１は、移動局毎のＳＣＣＨで送信される移動局毎の制御情報に対して符号化処理を行い、各変調部１２は、符号化後の制御情報に対して変調処理を行って配置部１０２に出力する。【００２１】
配置部１０２は、各移動局への制御情報を、ＯＦＤＭシンボルを構成する複数のサブキャリアのいずれかに配置して送信電力制御部１０３に出力する。つまり、配置部１０２は、移動局毎の複数のＳＣＣＨを、ＯＦＤＭシンボルを構成する複数のサブキャリアのいずれかに配置する。配置部１０２での配置処理の詳細については後述する。【００２２】
送信電力制御部１０３は、各移動局から報告された受信品質情報に基づいて制御情報の送信電力を制御して多重部１０６に出力する。この際、送信電力制御部１０３は、移動局毎の通信帯域全体の受信品質情報に基づいてＳＣＣＨ毎に制御情報の送信電力を制御する。また、各移動局のＳＣＣＨの送信電力は、各移動局が十分な受信品質で制御情報を受信できる送信電力に設定される。つまり、送信電力制御部１０３では、複数のＳＣＣＨ各々の送信電力が制御される。【００２３】
符号化・変調部１０４−１〜１０４−ｎにおいて、各符号化部２１は、移動局毎の送信データに対して符号化処理を行い、各変調部２２は、符号化後の送信データに対して変調処理を行って配置部１０５に出力する。このときの符号化率および変調方式は、適応制御部１１５から入力されるＭＣＳ情報に従う。【００２４】
配置部１０５は、適応制御部１１５からの制御に従って、各移動局へのデータを、ＯＦＤＭシンボルを構成する複数のサブキャリアのいずれかに配置して多重部１０６に出力する。この際、配置部１０５は、各移動局へのデータをＬ−ＲＢまたはＤ−ＲＢを単位として複数のサブキャリアのいずれかに配置する。また、配置部１０５は、各データの配置情報（どの移動局へのデータをどのＲＢに配置したかを示す情報）として、移動局ＩＤおよびＲＢ番号を制御情報生成部１１６に出力する。【００２５】
多重部１０６は、配置部１０５から入力される各データに送信電力制御部１０３から入力される制御情報を時間多重してＩＦＦＴ（Inverse Fast Fourier Transform）部１０７に出力する。制御情報の多重は、例えばサブフレーム毎に行われる。【００２６】
ＩＦＦＴ部１０７は、制御情報およびデータが配置された複数のサブキャリアに対してＩＦＦＴを行って、マルチキャリア信号であるＯＦＤＭシンボルを生成する。つまり、ＩＦＦＴ部１０７は、送信電力制御後の複数のＳＣＣＨが複数のサブキャリアに配置されたＯＦＤＭシンボルを生成する。【００２７】
ＣＰ（Cyclic Prefix）付加部１０８は、ＯＦＤＭシンボルの後尾部分と同じ信号をＣＰとしてＯＦＤＭシンボルの先頭に付加する。【００２８】
無線送信部１０９は、ＣＰ付加後のＯＦＤＭシンボルに対しＤ／Ａ変換、増幅およびアップコンバート等の送信処理を行ってアンテナ１１０から各移動局へ送信する。【００２９】
一方、無線受信部１１１は、最大ｎ個の移動局から同時に送信されたｎ個のＯＦＤＭシンボルをアンテナ１１０を介して受信し、これらのＯＦＤＭシンボルに対しダウンコンバート、Ｄ／Ａ変換等の受信処理を行う。【００３０】
ＣＰ除去部１１２は、受信処理後のＯＦＤＭシンボルからＣＰを除去する。【００３１】
ＦＦＴ（Fast Fourier Transform）部１１３は、ＣＰ除去後のＯＦＤＭシンボルに対してＦＦＴを行って、周波数軸上で多重された移動局毎の信号を得る。ここで、各移動局は互いに異なるサブキャリアまたは互いに異なるサブバンドを用いて信号を送信しており、移動局毎の信号にはそれぞれ、各移動局から報告される受信品質情報が含まれている。なお、各移動局では、受信品質の測定を、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行うことができる。また、受信品質情報は、ＣＱＩ（Channel Quality Indicator）やＣＳＩ（Channel State Information）等と表されることがある。【００３２】
復調・復号部１１４−１〜１１４−ｎにおいて、各復調部３１は、ＦＦＴ後の信号対して変調処理を行い、各復号部３２は、復調後の信号に対して復号処理を行う。これにより、受信データが得られる。受信データのうち受信品質情報が送信電力制御部１０３および適応制御部１１５に入力される。【００３３】
適応制御部１１５は、各移動局から報告された受信品質情報に基づいて各移動局への送信データに対する適応制御を行う。すなわち、適応制御部１１５は、受信品質情報に基づいて、符号化・変調部１０４−１〜１０４−ｎに対しては、所要誤り率を満たすことができるＭＣＳの選択を行ってＭＣＳ情報を出力する。この適応制御は、Ｌ−ＲＢ毎およびＤ−ＲＢ毎に行われる。つまり、適応制御部１１５は、複数のＲＢ毎にデータチャネルの適応制御を行う。また、適応制御部１１５は、受信品質情報に基づいて、配置部１０５に対しては、Max SIR法やProportional Fairness法等のスケジューリングアルゴリズムを用いて、各移動局への送信データをどのＲＢに配置するかを決定する。また、適応制御部１１５は、移動局毎のＭＣＳ情報を制御情報生成部１１６に出力する。【００３４】
制御情報生成部１１６は、移動局毎の配置情報および移動局毎のＭＣＳ情報からなる移動局毎の制御情報を生成して、それぞれ対応する符号化部１１に出力する。【００３５】
次いで、配置部１０２での配置処理の詳細について、以下に示すＳＣＣＨ配置例を用いて説明する。以下の配置例ではいずれも、配置部１０２は、送信電力制御がなされる複数のＳＣＣＨを、複数のＲＢ各々における組合せが同一になるように複数のサブキャリアのいずれかに配置する。また、上記のように、適応制御部１１５では複数のＲＢ毎にデータチャネルの適応制御が行われる。また、以下の配置例ではいずれも、ＳＣＣＨで送信される制御情報はサブフレームの先頭に時間多重される。つまり、各移動局毎のＳＣＣＨはサブフレームの先頭にあるＯＦＤＭシンボルの複数のサブキャリアのいずれかに配置される。【００３６】
また、以下の配置例ではいずれも、１サブフレームがＯＦＤＭシンボル＃１〜＃８で構成され、ＯＦＤＭシンボル＃１の各サブキャリアにＳＣＣＨが配置され、ＯＦＤＭシンボル＃２〜＃８の各サブキャリアにデータチャネルが配置されるものとする。また、以下の配置例ではいずれも、ＯＦＤＭシンボルを構成する複数のサブキャリアは複数のサブバンドに分割されているものとする。【００３７】
＜ＳＣＣＨ配置例１（図２）＞
本配置例は、各サブフレームでのデータチャネルがＬ−ＲＢのみで構成される場合の配置例である。具体的には、サブキャリアｆ１〜ｆ３でＬ−ＲＢ１が構成され、サブキャリアｆ４〜ｆ６でＬ−ＲＢ２が構成され、サブキャリアｆ７〜ｆ９でＬ−ＲＢ３が構成される。【００３８】
配置部１０２は、通信帯域内のＲＢ数をＮ＿ＲＢ、１つのＳＣＣＨを構成するサブキャリア数をＭとした場合、１つのＲＢにＭ／Ｎ＿ＲＢずつのＳＣＣＨが含まれるように各移動局のＳＣＣＨを各サブキャリアに配置する。これにより、各移動局のＳＣＣＨを各ＲＢに均等に配置することができる。なお、ＭがＮ＿ＲＢで割り切れない場合には、余りのサブキャリアに順に各移動局のＳＣＣＨを配置することにより、各移動局のＳＣＣＨを各ＲＢにほぼ均等に配置することができる。【００３９】
よって、図２に示すようなＲＢ構成の場合、配置部１０２は、移動局＃ＡのＳＣＣＨ＃Ａをサブキャリアｆ１,ｆ４,ｆ７に配置し、移動局＃ＢのＳＣＣＨ＃Ｂをサブキャリアｆ２,ｆ５,ｆ８に配置し、移動局＃ＣのＳＣＣＨ＃Ｃをサブキャリアｆ３,ｆ６,ｆ９に配置する。この配置によって、複数のＳＣＣＨの組合せは、Ｌ−ＲＢ１〜Ｌ−ＲＢ３のいずれにおいてもＳＣＣＨ＃Ａ,＃Ｂ,＃Ｃの組合せとなり、すべて同一の組合せとなる。よって、送信電力制御によりＳＣＣＨ＃Ａと、ＳＣＣＨ＃Ｂと、ＳＣＣＨ＃Ｃとが互いに異なる送信電力となっても、ＲＢ毎の平均送信電力は、Ｌ−ＲＢ１とＬ−ＲＢ２とＬ−ＲＢ３とで互いに等しくなる。【００４０】
このように、ＳＣＣＨの組合せをＬ−ＲＢ１〜Ｌ−ＲＢ３のすべてにおいて同一として各移動局のＳＣＣＨを各ＲＢに均等に配置することにより、１つの移動局のＳＣＣＨの送信電力の変化が１つのＲＢに与える干渉変動の寄与分を最小にすることができる。さらに、サブフレーム毎に各移動局のＳＣＣＨの送信電力は互いに独立に変化するため、平均化効果により、ＳＣＣＨ全体が各ＲＢに与える干渉総量の変動は小さくなる。特に、データチャネルが割り当てられる移動局がサブフレーム間で変化する場合には、ＳＣＣＨの送信電力のサブフレーム間での変化量が大きくなって平均化効果がより大きくなる。よって、本配置例によれば、基地局間非同期システムにおいて、ＳＣＣＨの送信電力制御の影響によりデータチャネルが各ＳＣＣＨから受ける干渉がサブフレーム毎に変化してしまう場合でも、データチャネルの適応制御の精度劣化を防ぐことができる。【００４１】
なお、送信電力制御部１０３は、ＳＣＣＨ＃Ａ,＃Ｂ,＃Ｃの総送信電力を一定としたままＳＣＣＨ＃Ａ,＃Ｂ,＃Ｃ各々の送信電力を制御してもよい。これにより、隣接セルのＲＢが受ける干渉電力を個々のＳＣＣＨの送信電力変化によらず一定にすることができる。よって、自セルでのＳＣＣＨの送信電力制御の影響によって生じる隣接セルでの適応制御の精度劣化を防ぐことができる。【００４２】
＜ＳＣＣＨ配置例２（図３,４）＞
本配置例は、各サブフレームでのデータチャネルがＤ−ＲＢのみ、または、Ｌ−ＲＢのみで構成され、Ｄ−ＲＢとＬ−ＲＢとがサブフレーム単位で時間多重される場合の配置例である。具体的には、サブフレーム１では、図３に示すように、サブキャリアｆ１,ｆ４,ｆ７でＤ−ＲＢ１が構成され、サブキャリアｆ２,ｆ５,ｆ８でＤ−ＲＢ２が構成され、サブキャリアｆ３,ｆ６,ｆ９でＤ−ＲＢ３が構成される。また、サブフレーム２では、図４に示すように、サブキャリアｆ１〜ｆ３でＬ−ＲＢ１が構成され、サブキャリアｆ４〜ｆ６でＬ−ＲＢ２が構成され、サブキャリアｆ７〜ｆ９でＬ−ＲＢ３が構成される。【００４３】
このようなＲＢ構成の場合、配置部１０２は、図３および図４に示すように、移動局＃ＡのＳＣＣＨ＃Ａをサブキャリアｆ１,ｆ６,ｆ８に配置し、移動局＃ＢのＳＣＣＨ＃Ｂをサブキャリアｆ２,ｆ４,ｆ９に配置し、移動局＃ＣのＳＣＣＨ＃Ｃをサブキャリアｆ３,ｆ５,ｆ７に配置する。つまり、配置部１０２は、Ｄ−ＲＢの構成に合わせて、各サブバンドにおけるＳＣＣＨ＃Ａ〜＃Ｃの配置パターンをサブバンド毎に巡回シフトさせ、各サブバンド内におけるＳＣＣＨ＃Ａ〜＃Ｃの配置パターンを互いに異ならせてＳＣＣＨ＃Ａ〜＃Ｃをサブキャリアｆ１〜ｆ９のいずれかに配置する。【００４４】
このような配置を採ることにより、Ｄ−ＲＢで構成されるサブフレーム１とＬ−ＲＢで構成されるサブフレーム２との間においてＳＣＣＨの配置を変えなくても、複数のＳＣＣＨの組合せは、サブフレーム１のＤ−ＲＢ１〜Ｄ−ＲＢ３およびサブフレーム２のＬ−ＲＢ１〜Ｌ−ＲＢ３のいずれにおいてもＳＣＣＨ＃Ａ,＃Ｂ,＃Ｃの組合せとなり、すべて同一の組合せとなる。よって、Ｄ−ＲＢとＬ−ＲＢとがサブフレーム単位で時間多重される場合でも、ＳＣＣＨの配置を変えることなく、複数サブフレームに渡って各移動局のＳＣＣＨを各ＲＢに均等に配置することができる。よって、Ｄ−ＲＢとＬ−ＲＢとがサブフレーム単位で時間多重され、かつ、ＳＣＣＨの送信電力制御の影響によりデータチャネルが各ＳＣＣＨから受ける干渉がサブフレーム毎に変化してしまう場合でも、データチャネルの適応制御の精度劣化を防ぐことができる。【００４５】
＜ＳＣＣＨ配置例３（図５）＞
本配置例は、各サブフレームにおいてＤ−ＲＢとＬ−ＲＢとが周波数多重され、１サブフレームにおけるＬ−ＲＢ数がＤ−ＲＢ数よりも多い場合の配置例である。また、本配置例は、ＳＣＣＨ数（ここではＳＣＣＨ＃Ａ,＃Ｂ,＃Ｃの３つ）が１サブバンド内のＤ−ＲＢ数（ここではＤ−ＲＢ１,２,３の３つ）と同数の場合の配置例である。【００４６】
具体的には、サブキャリアｆ１,ｆ１０,ｆ１９でＤ−ＲＢ１が構成され、サブキャリアｆ２,ｆ１１,ｆ２０でＤ−ＲＢ２が構成され、サブキャリアｆ３,ｆ１２,ｆ２１でＤ−ＲＢ３が構成されるとともに、サブキャリアｆ４〜ｆ６でＬ−ＲＢ１が構成され、サブキャリアｆ７〜ｆ９でＬ−ＲＢ２が構成され、サブキャリアｆ１３〜ｆ１５でＬ−ＲＢ３が構成され、サブキャリアｆ１６〜ｆ１８でＬ−ＲＢ４が構成され、サブキャリアｆ２２〜ｆ２４でＬ−ＲＢ５が構成され、サブキャリアｆ２５〜ｆ２７でＬ−ＲＢ６が構成される。【００４７】
このようなＲＢ構成の場合、配置部１０２は、移動局＃ＡのＳＣＣＨ＃Ａをサブキャリアｆ１,ｆ４,ｆ７,ｆ１２,ｆ１５,ｆ１８,ｆ２０,ｆ２３,ｆ２６に配置し、移動局＃ＢのＳＣＣＨ＃Ｂをサブキャリアｆ２,ｆ５,ｆ８,ｆ１０,ｆ１３,ｆ１６,ｆ２１,ｆ２４,ｆ２７に配置し、移動局＃ＣのＳＣＣＨ＃Ｃをサブキャリアｆ３,ｆ６,ｆ９,ｆ１１,ｆ１４,ｆ１７,ｆ１９,ｆ２２,ｆ２５に配置する。つまり、配置部１０２は、Ｄ−ＲＢの構成に合わせて、３サブバンド周期で、各サブバンドにおけるＳＣＣＨ＃Ａ〜＃Ｃの配置パターンを巡回シフトさせ、各サブバンド内におけるＳＣＣＨ＃Ａ〜＃Ｃの配置パターンを３サブバンド周期で互いに異ならせてＳＣＣＨ＃Ａ〜＃Ｃをサブキャリアｆ１〜ｆ２７のいずれかに配置する。【００４８】
このような配置を採ることにより、複数のＳＣＣＨの組合せは、Ｄ−ＲＢ１〜Ｄ−ＲＢ３およびＬ−ＲＢ１〜Ｌ−ＲＢ６のいずれにおいてもＳＣＣＨ＃Ａ,＃Ｂ,＃Ｃの組合せとなり、すべて同一の組合せとなる。よって、Ｄ−ＲＢとＬ−ＲＢとが周波数多重され、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。【００４９】
＜ＳＣＣＨ配置例４（図６）＞
本配置例は、各サブフレームにおいてＤ−ＲＢとＬ−ＲＢとが周波数多重され、１サブフレームにおけるＬ−ＲＢ数がＤ−ＲＢ数よりも少ない場合の配置例である。また、本配置例は、配置例３同様、ＳＣＣＨ数（ここではＳＣＣＨ＃Ａ,＃Ｂ,＃Ｃの３つ）が１サブバンド内のＤ−ＲＢ数（ここではＤ−ＲＢ１,２,３の３つ）と同数の場合の配置例である。【００５０】
具体的には、サブキャリアｆ１,ｆ１０,ｆ１９でＤ−ＲＢ１が構成され、サブキャリアｆ２,ｆ１１,ｆ２０でＤ−ＲＢ２が構成され、サブキャリアｆ３,ｆ１２,ｆ２１でＤ−ＲＢ３が構成され、サブキャリアｆ４,ｆ１３,ｆ２２でＤ−ＲＢ４が構成され、サブキャリアｆ５,ｆ１４,ｆ２３でＤ−ＲＢ５構成され、サブキャリアｆ６,ｆ１５,ｆ２４でＤ−ＲＢ６が構成されるとともに、サブキャリアｆ７〜ｆ９でＬ−ＲＢ１が構成され、サブキャリアｆ１６〜ｆ１８でＬ−ＲＢ２が構成され、サブキャリアｆ２５〜ｆ２７でＬ−ＲＢ３が構成される。【００５１】
このようなＲＢ構成の場合、配置部１０２は、配置例３同様、移動局＃ＡのＳＣＣＨ＃Ａをサブキャリアｆ１,ｆ４,ｆ７,ｆ１２,ｆ１５,ｆ１８,ｆ２０,ｆ２３,ｆ２６に配置し、移動局＃ＢのＳＣＣＨ＃Ｂをサブキャリアｆ２,ｆ５,ｆ８,ｆ１０,ｆ１３,ｆ１６,ｆ２１,ｆ２４,ｆ２７に配置し、移動局＃ＣのＳＣＣＨ＃Ｃをサブキャリアｆ３,ｆ６,ｆ９,ｆ１１,ｆ１４,ｆ１７,ｆ１９,ｆ２２,ｆ２５に配置する。つまり、配置部１０２は、配置例３同様、Ｄ−ＲＢの構成に合わせて、３サブバンド周期で、各サブバンドにおけるＳＣＣＨ＃Ａ〜＃Ｃの配置パターンを巡回シフトさせ、各サブバンド内におけるＳＣＣＨ＃Ａ〜＃Ｃの配置パターンを３サブバンド周期で互いに異ならせてＳＣＣＨ＃Ａ〜＃Ｃをサブキャリアｆ１〜ｆ２７のいずれかに配置する。【００５２】
このような配置を採ることにより、配置例３同様、複数のＳＣＣＨの組合せは、Ｄ−ＲＢ１〜Ｄ−ＲＢ６およびＬ−ＲＢ１〜Ｌ−ＲＢ３のいずれにおいてもＳＣＣＨ＃Ａ,＃Ｂ,＃Ｃの組合せとなり、すべて同一の組合せとなる。よって、Ｄ−ＲＢとＬ−ＲＢとが周波数多重され、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。【００５３】
さらに、配置例３（図５）と本配置例（図６）とにおけるＳＣＣＨ配置が同一であることから、図５および図６に示すＳＣＣＨ配置を採ることにより、各サブフレームで周波数多重されるＤ−ＲＢの数とＬ−ＲＢの数との大小関係によらず、各移動局のＳＣＣＨを各ＲＢに均等に配置することができる。【００５４】
＜ＳＣＣＨ配置例５（図７）＞
１つのＳＣＣＨにより１つの移動局に対して複数のＲＢを割り当てることが可能であるが、データ伝送の遅延要求などを考慮すると、総ＲＢ数の１／２〜１／４程度の数のＳＣＣＨを使用することが好ましい。この場合、ＳＣＣＨの数が１サブバンド内のＤ−ＲＢ数よりも多くなることがある。【００５５】
そこで、本配置例では、Ｄ−ＲＢとＬ−ＲＢとが周波数多重されるＲＢ構成において、ＳＣＣＨ数（ここではＳＣＣＨ＃Ａ〜＃Ｆの６つ）が１サブバンド内のＤ−ＲＢ数（ここではＤ−ＲＢ１〜Ｄ−ＲＢ３の３つ）よりも多い場合の配置例を示す。また、本配置例は、ＳＣＣＨ数が１サブバンド内のＤ−ＲＢ数の整数倍のときの配置例である。【００５６】
このようなＲＢ構成の場合、配置部１０２は、移動局＃Ａ〜＃ＦのＳＣＣＨ＃Ａ〜＃Ｆを図７に示すように配置する。つまり、配置部１０２は、配置例３同様、Ｄ−ＲＢの構成に合わせて、３サブバンド周期で、各サブバンドにおけるＳＣＣＨ＃Ａ〜＃Ｆの配置パターンを巡回シフトさせ、各サブバンド内におけるＳＣＣＨ＃Ａ〜＃Ｆの配置パターンを３サブバンド周期で互いに異ならせてＳＣＣＨ＃Ａ〜＃Ｆを各サブキャリアに配置する。本配置例では、各サブバンドにおけるＳＣＣＨ＃Ａ〜＃Ｆの順番を３サブバンド周期で２つずつ巡回シフトさせている。【００５７】
このような配置を採ることにより、複数のＳＣＣＨの組合せは、Ｄ−ＲＢ１〜Ｄ−ＲＢ３およびＬ−ＲＢ１〜Ｌ−ＲＢ６のいずれにおいてもＳＣＣＨ＃Ａ〜＃Ｆの組合せとなり、すべて同一の組合せとなる。よって、Ｄ−ＲＢとＬ−ＲＢとが周波数多重され、１サブフレームにおけるＤ−ＲＢ数がＬ−ＲＢ数よりも多く、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。【００５８】
＜ＳＣＣＨ配置例６（図８）＞
本配置例は、Ｄ−ＲＢとＬ−ＲＢとが周波数多重されるＲＢ構成において、配置例５同様、ＳＣＣＨ数（ここではＳＣＣＨ＃Ａ〜＃Ｄの４つ）が１サブバンド内のＤ−ＲＢ数（ここではＤ−ＲＢ１〜Ｄ−ＲＢ３の３つ）よりも多い場合の配置例である。また、本配置例は、ＳＣＣＨ数が１サブバンド内のＤ−ＲＢ数の整数倍でないときの配置例である。【００５９】
このようなＲＢ構成の場合、配置部１０２は、移動局＃Ａ〜＃ＤのＳＣＣＨ＃Ａ〜＃Ｄを図８に示すように配置する。つまり、配置部１０２は、配置例３同様、Ｄ−ＲＢの構成に合わせて、３サブバンド周期で、各サブバンドにおけるＳＣＣＨ＃Ａ〜＃Ｄの配置パターンを巡回シフトさせ、各サブバンド内におけるＳＣＣＨ＃Ａ〜＃Ｄの配置パターンを３サブバンド周期で互いに異ならせてＳＣＣＨ＃Ａ〜＃Ｄを各サブキャリアに配置する。本配置例では、各サブバンドにおけるＳＣＣＨ＃Ａ〜＃Ｄの順番を３サブバンド周期で２つずつ巡回シフトさせている。【００６０】
このような配置を採ることにより、複数のＳＣＣＨの組合せは、Ｄ−ＲＢ１〜Ｄ−ＲＢ３およびＬ−ＲＢ１〜Ｌ−ＲＢ６のいずれにおいてもＳＣＣＨ＃Ａ〜＃Ｄの組合せとなり、すべて同一の組合せとなる。よって、Ｄ−ＲＢとＬ−ＲＢとが周波数多重され、１サブフレームにおけるＤ−ＲＢ数がＬ−ＲＢ数よりも多く、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。【００６１】
さらに、配置例５（図７）および本配置例（図８）から分かるとおり、ＳＣＣＨ数が１サブバンド内のＤ−ＲＢ数の整数倍であるか否かにかかわらず、各移動局のＳＣＣＨを各ＲＢに均等に配置することができる。【００６２】
＜ＳＣＣＨ配置例７（図９）＞
本配置例は、ＳＣＣＨの配置パターンを隣接セル間で互いに異ならせる配置例である。【００６３】
ＳＣＣＨの送信電力制御は過去のサブフレームで測定された受信品質に基づいて行われるため、隣接セル間において一方のセルのＳＣＣＨが他方のセルのＳＣＣＨから受ける干渉がサブフレーム毎に変化して一方のセルのＳＣＣＨの受信品質がサブフレーム毎に変化してしまうと、一方のセルでの制御情報送信時に現在の正確な受信品質情報を用いた送信電力制御を行うことができなくなってしまう。つまり、ＳＣＣＨの送信電力制御の精度が劣化してしまう。その結果、ＳＣＣＨの誤り率特性が劣化する。【００６４】
そこで、本配置例では、例えば、セル１とセル２とが互いに隣接し、セル１における配置パターンを図５に示したものとする場合に、セル２における配置パターンを図９に示すものとする。図９に示した配置パターンも、配置例３に従ったものである。但し、図５の配置パターンと図９の配置パターンとでは、同一サブキャリアに配置されるＳＣＣＨが互いに異なる。【００６５】
このように、セル１とセル２との間でＳＣＣＨの配置パターンを互いに異ならせることにより、セル１とセル２とにおいて同じタイミングでＳＣＣＨが送信される場合、つまり、複数の基地局の送信タイミングが同じである基地局間同期システムの場合に、隣接セル間でのＳＣＣＨ同士の干渉をランダム化することができる。よって、本配置例によれば、ＳＣＣＨの送信電力制御の精度の劣化を防止して、ＳＣＣＨの誤り率特性の劣化を防ぐことができる。また、本配置例によれば、基地局間非同期システムの場合には、配置例３と同様の効果を得ることができる。【００６６】
＜ＳＣＣＨ配置例８（図１０,１１）＞
本配置例は、各サブフレームでのデータチャネルがＬ−ＲＢのみで構成され、ＳＣＣＨのＬ−ＲＢ毎の配置パターンを隣接セル間で互いに異ならせる配置例である。具体的には、サブキャリアｆ１〜ｆ６でＬ−ＲＢ１が構成され、サブキャリアｆ７〜ｆ１２でＬ−ＲＢ２が構成され、サブキャリアｆ１３〜ｆ１８でＬ−ＲＢ３が構成され、サブキャリアｆ１９〜ｆ２４でＬ−ＲＢ４が構成され、サブキャリアｆ２５〜ｆ３０でＬ−ＲＢ５が構成される。【００６７】
なお、以下の配置例ではいずれも、パイロットシンボルＰがサブフレームの先頭に６サブキャリア間隔で多重されるものとする。【００６８】
このようなＲＢ構成を採り、例えばセル１とセル２とが互いに隣接する場合、本配置例では、セル１における配置パターンを図１０に示すものとし、セル２における配置パターンを図１１に示すものとする。【００６９】
すなわち、セル１における基地局１００の配置部１０２は、図１０に示すように、パイロットシンボルＰがサブキャリアｆ１,ｆ７,ｆ１３,ｆ１９,ｆ２５に配置される場合、移動局＃ＡのＳＣＣＨ＃Ａをサブキャリアｆ２,ｆ８,ｆ１４,ｆ２０,ｆ２６に配置し、移動局＃ＢのＳＣＣＨ＃Ｂをサブキャリアｆ３,ｆ９,ｆ１５,ｆ２１,ｆ２７に配置し、移動局＃ＣのＳＣＣＨ＃Ｃをサブキャリアｆ４,ｆ１０,ｆ１６,ｆ２２,ｆ２８に配置し、移動局＃ＤのＳＣＣＨ＃Ｄをサブキャリアｆ５,ｆ１１,ｆ１７,ｆ２３,ｆ２９に配置し、移動局＃ＥのＳＣＣＨ＃Ｅをサブキャリアｆ６,ｆ１２,ｆ１８,ｆ２４,ｆ３０に配置する。このように、セル１では、Ｌ−ＲＢ１〜Ｌ−ＲＢ５においてＬ−ＲＢ毎の配置パターンが互いに同じである。【００７０】
一方、セル２における基地局１００の配置部１０２は、図１１に示すように、パイロットシンボルＰがサブキャリアｆ１,ｆ７,ｆ１３,ｆ１９,ｆ２５に配置される場合、移動局＃ＡのＳＣＣＨ＃Ａをサブキャリアｆ２,ｆ１１,ｆ１５,ｆ２４,ｆ２８に配置し、移動局＃ＢのＳＣＣＨ＃Ｂをサブキャリアｆ３,ｆ１２,ｆ１６,ｆ２０,ｆ２９に配置し、移動局＃ＣのＳＣＣＨ＃Ｃをサブキャリアｆ４,ｆ８,ｆ１７,ｆ２１,ｆ３０に配置し、移動局＃ＤのＳＣＣＨ＃Ｄをサブキャリアｆ５,ｆ９,ｆ１８,ｆ２２,ｆ２６に配置し、移動局＃ＥのＳＣＣＨ＃Ｅをサブキャリアｆ６,ｆ１０,ｆ１４,ｆ２３,ｆ２７に配置する。このように、セル２では、Ｌ−ＲＢ１のＳＣＣＨ＃Ａ〜＃Ｅの配置パターンをセル１と同一とし、かつ、Ｌ−ＲＢ１のＳＣＣＨ＃Ａ〜＃Ｅの配置パターンをＬ−ＲＢ毎に２サブキャリアずつ巡回シフトさせて各Ｌ−ＲＢ内におけるＳＣＣＨ＃Ａ〜＃Ｅの配置を互いに異ならせる。【００７１】
よって、本配置例によれば、セル２のＳＣＣＨ＃Ａは、Ｌ−ＲＢ１ではセル１のＳＣＣＨ＃Ａから干渉を受け、Ｌ−ＲＢ２ではセル１のＳＣＣＨ＃Ｄから干渉を受け、Ｌ−ＲＢ３ではセル１のＳＣＣＨ＃Ｂから干渉を受け、Ｌ−ＲＢ４ではセル１のＳＣＣＨ＃Ｅから干渉を受け、Ｌ−ＲＢ５ではセル１のＳＣＣＨ＃Ｃから干渉を受ける。つまり、セル２のＳＣＣＨ＃Ａは、セル１のＳＣＣＨ＃Ａ〜＃Ｅのそれぞれから干渉を受ける。【００７２】
同様に、セル２のＳＣＣＨ＃Ｂは、Ｌ−ＲＢ１ではセル１のＳＣＣＨ＃Ｂから干渉を受け、Ｌ−ＲＢ２ではセル１のＳＣＣＨ＃Ｅから干渉を受け、Ｌ−ＲＢ３ではセル１のＳＣＣＨ＃Ｃから干渉を受け、Ｌ−ＲＢ４ではセル１のＳＣＣＨ＃Ａから干渉を受け、Ｌ−ＲＢ５ではセル１のＳＣＣＨ＃Ｄから干渉を受ける。つまり、セル２のＳＣＣＨ＃Ｂも、セル１のＳＣＣＨ＃Ａ〜＃Ｅのそれぞれから干渉を受ける。【００７３】
セル２のＳＣＣＨ＃Ｃ〜＃Ｅおよびセル１のＳＣＣＨ＃Ａ〜＃Ｅが受ける干渉についても同様である。【００７４】
よって、本配置例によれば、基地局間同期システムの場合に、セル１およびセル２のＳＣＣＨ＃Ａ〜＃Ｅの各ＳＣＣＨの送信電力が個別に変動しても、隣接セル間でのＳＣＣＨ同士の干渉を均一化することができる。よって、本配置例によれば、ＳＣＣＨの送信電力制御の精度の劣化を防止して、ＳＣＣＨの誤り率特性の劣化を防ぐことができる。【００７５】
また、本配置例によれば、ＳＣＣＨの組合せをＬ−ＲＢ１〜Ｌ−ＲＢ５のすべてにおいて同一として各移動局のＳＣＣＨを各ＲＢに均等に配置するため、基地局間非同期システムの場合には、配置例１と同様の効果を得ることができる。【００７６】
なお、セル２ではＬ−ＲＢ１のＳＣＣＨ＃Ａ〜＃Ｅの配置パターンをＬ−ＲＢ毎に巡回シフトさせて各Ｌ−ＲＢ内におけるＳＣＣＨ＃Ａ〜＃Ｅの配置を互いに異ならせたが、巡回シフトに依らない配置方法により各Ｌ−ＲＢ内におけるＳＣＣＨ＃Ａ〜＃Ｅの配置を互いに異ならせて隣接セル間でのＳＣＣＨ同士の上記のような対応を形成してもよい。【００７７】
＜ＳＣＣＨ配置例９（図１２,１３,１４）＞
本配置例は、ＳＣＣＨのＬ−ＲＢ毎の配置パターンを予め決められた複数の配置パターンの中から選択する点において配置例８と相違する。【００７８】
すなわち、本配置例では、ＳＣＣＨの各Ｌ−ＲＢの配置パターンを図１２に示すパターン１〜５の中から選択する。パターン１〜５はそれぞれ、１サブバンド単位の配置パターンである。【００７９】
例えば、セル１における基地局１００の配置部１０２は、図１３に示すように、Ｌ−ＲＢ１に対してパターン１、Ｌ−ＲＢ２に対してパターン４、Ｌ−ＲＢ３に対してパターン３、Ｌ−ＲＢ４に対してパターン２、Ｌ−ＲＢ５に対してパターン５を選択して割り当てる。これにより、セル１では、パイロットシンボルＰがサブキャリアｆ１,ｆ７,ｆ１３,ｆ１９,ｆ２５に配置される場合、移動局＃ＡのＳＣＣＨ＃Ａがサブキャリアｆ２,ｆ９,ｆ１８,ｆ２２,ｆ２９に配置され、移動局＃ＢのＳＣＣＨ＃Ｂがサブキャリアｆ３,ｆ１２,ｆ１４,ｆ２４,ｆ２８に配置され、移動局＃ＣのＳＣＣＨ＃Ｃがサブキャリアｆ４,ｆ１０,ｆ１５,ｆ２３,ｆ２６に配置され、移動局＃ＤのＳＣＣＨ＃Ｄがサブキャリアｆ５,ｆ１１,ｆ１６,ｆ２０,ｆ２７に配置され、移動局＃ＥのＳＣＣＨ＃Ｅがサブキャリアｆ６,ｆ８,ｆ１７,ｆ２１,ｆ３０に配置される。【００８０】
一方、セル２における基地局１００の配置部１０２は、図１４に示すように、Ｌ−ＲＢ１に対してパターン３、Ｌ−ＲＢ２に対してパターン１、Ｌ−ＲＢ３に対してパターン５、Ｌ−ＲＢ４に対してパターン４、Ｌ−ＲＢ５に対してパターン２を選択して割り当てる。これにより、セル２では、パイロットシンボルＰがサブキャリアｆ１,ｆ７,ｆ１３,ｆ１９,ｆ２５に配置される場合、移動局＃ＡのＳＣＣＨ＃Ａがサブキャリアｆ６,ｆ８,ｆ１８,ｆ２１,ｆ２８に配置され、移動局＃ＢのＳＣＣＨ＃Ｂがサブキャリアｆ２,ｆ９,ｆ１６,ｆ２４,ｆ３０に配置され、移動局＃ＣのＳＣＣＨ＃Ｃがサブキャリアｆ３,ｆ１０,ｆ１４,ｆ２２,ｆ２９に配置され、移動局＃ＤのＳＣＣＨ＃Ｄがサブキャリアｆ４,ｆ１１,ｆ１５,ｆ２３,ｆ２６に配置され、移動局＃ＥのＳＣＣＨ＃Ｅがサブキャリアｆ５,ｆ１２,ｆ１７,ｆ２０,ｆ２７に配置される。【００８１】
このように、本配置例では、セル１とセル２との間において、同一Ｌ−ＲＢに対して選択するＳＣＣＨの配置パターンを互いに異ならせる。よって、本配置例によれば、基地局間同期システムの場合に、隣接セル間でのＳＣＣＨ同士の干渉をランダム化することができる。よって、本配置例によれば、ＳＣＣＨの送信電力制御の精度の劣化を防止して、ＳＣＣＨの誤り率特性の劣化を防ぐことができる。【００８２】
また、本配置例によれば、Ｌ−ＲＢ毎に選択可能な配置パターンが図１２に示すパターン１〜５に予め決められているため、各Ｌ−ＲＢに対してパターン１〜５のいずれかを選択して割り当てるという簡易な処理だけで隣接セル間でのＳＣＣＨ同士の干渉をランダム化することができる。【００８３】
また、本配置例によれば、ＳＣＣＨの組合せを図１２に示すパターン１〜５のすべてにおいて同一として各移動局のＳＣＣＨを各Ｌ−ＲＢに均等に配置するため、基地局間非同期システムの場合には、配置例１と同様の効果を得ることができる。【００８４】
なお、本配置例では、さらなるランダム化のために、Ｌ−ＲＢ１〜Ｌ−ＲＢ５とパターン１〜５との対応関係をサブフレーム毎に変化させて、各Ｌ−ＲＢの配置パターンをサブフレーム毎に変化させてもよい。【００８５】
＜ＳＣＣＨ配置例１０（図１５,１６）＞
本配置例は、パイロットシンボルＰが配置されるサブキャリアが隣接セル間で互いに異なる点において配置例８と相違する。【００８６】
具体的には、セル１のパイロットシンボルＰは図１５に示すようにサブキャリアｆ１,ｆ７,ｆ１３,ｆ１９,ｆ２５に配置されるのに対し、セル２のパイロットシンボルＰは図１６に示すようにサブキャリアｆ３,ｆ９,ｆ１５,ｆ２１,ｆ２７に配置される。【００８７】
そして、セル１における基地局１００の配置部１０２は、図１５に示すように、移動局＃ＡのＳＣＣＨ＃Ａをサブキャリアｆ２,ｆ１２,ｆ１７,ｆ２２,ｆ２７に配置し、移動局＃ＢのＳＣＣＨ＃Ｂをサブキャリアｆ３,ｆ８,ｆ１８,ｆ２３,ｆ２８に配置し、移動局＃ＣのＳＣＣＨ＃Ｃをサブキャリアｆ４,ｆ９,ｆ１４,ｆ２４,ｆ２９に配置し、移動局＃ＤのＳＣＣＨ＃Ｄをサブキャリアｆ５,ｆ１０,ｆ１５,ｆ２０,ｆ３０に配置し、移動局＃ＥのＳＣＣＨ＃Ｅをサブキャリアｆ６,ｆ１１,ｆ１６,ｆ２１,ｆ２６に配置する。このように、セル１では、Ｌ−ＲＢ１のＳＣＣＨ＃Ａ〜＃Ｅの配置パターンをＬ−ＲＢ毎に１サブキャリアずつ巡回シフトさせて各Ｌ−ＲＢ内におけるＳＣＣＨ＃Ａ〜＃Ｅの配置を互いに異ならせる。【００８８】
一方、セル２における基地局１００の配置部１０２は、図１６に示すように、移動局＃ＡのＳＣＣＨ＃Ａをサブキャリアｆ１,ｆ１１,ｆ１４,ｆ２４,ｆ２８に配置し、移動局＃ＢのＳＣＣＨ＃Ｂをサブキャリアｆ２,ｆ１２,ｆ１６,ｆ１９,ｆ２９に配置し、移動局＃ＣのＳＣＣＨ＃Ｃをサブキャリアｆ４,ｆ７,ｆ１７,ｆ２０,ｆ３０に配置し、移動局＃ＤのＳＣＣＨ＃Ｄをサブキャリアｆ５,ｆ８,ｆ１８,ｆ２２,ｆ２５に配置し、移動局＃ＥのＳＣＣＨ＃Ｅをサブキャリアｆ６,ｆ１０,ｆ１３,ｆ２３,ｆ２６に配置する。このように、セル２では、Ｌ−ＲＢ１のＳＣＣＨ＃Ａ〜＃Ｅの配置パターンをＬ−ＲＢ毎に２サブキャリアずつ巡回シフトさせて各Ｌ−ＲＢ内におけるＳＣＣＨ＃Ａ〜＃Ｅの配置を互いに異ならせる。【００８９】
このように、本配置例によれば、ＳＣＣＨのＬ−ＲＢ毎の配置パターンが隣接セル間で互いに異なるため、基地局間同期システムの場合に、隣接セル間でのＳＣＣＨ同士の干渉をランダム化することができる。よって、本配置例によれば、ＳＣＣＨの送信電力制御の精度の劣化を防止して、ＳＣＣＨの誤り率特性の劣化を防ぐことができる。【００９０】
また、本配置例によれば、セル１のパイロットシンボルＰは、Ｌ−ＲＢ１ではセル２のＳＣＣＨ＃Ａから干渉を受け、Ｌ−ＲＢ２ではセル２のＳＣＣＨ＃Ｃから干渉を受け、Ｌ−ＲＢ３ではセル２のＳＣＣＨ＃Ｅから干渉を受け、Ｌ−ＲＢ４ではセル２のＳＣＣＨ＃Ｂから干渉を受け、Ｌ−ＲＢ５ではセル２のＳＣＣＨ＃Ｄから干渉を受ける。つまり、セル１のパイロットシンボルＰは、セル２のＳＣＣＨ＃Ａ〜＃Ｅのそれぞれから干渉を受ける。【００９１】
同様に、セル２のパイロットシンボルＰは、Ｌ−ＲＢ１ではセル２のＳＣＣＨ＃Ｂから干渉を受け、Ｌ−ＲＢ２ではセル２のＳＣＣＨ＃Ｃから干渉を受け、Ｌ−ＲＢ３ではセル２のＳＣＣＨ＃Ｄから干渉を受け、Ｌ−ＲＢ４ではセル２のＳＣＣＨ＃Ｅから干渉を受け、Ｌ−ＲＢ５ではセル２のＳＣＣＨ＃Ａから干渉を受ける。つまり、セル２のパイロットシンボルＰも、セル１のＳＣＣＨ＃Ａ〜＃Ｅのそれぞれから干渉を受ける。【００９２】
よって、本配置例によれば、基地局間同期システムの場合に、セル１およびセル２のＳＣＣＨ＃Ａ〜＃Ｅの各ＳＣＣＨの送信電力が個別に変動しても、セル１のパイロットシンボルがセル２のＳＣＣＨから受ける干渉、および、セル２のパイロットシンボルがセル１のＳＣＣＨから受ける干渉の双方を均一化することができる。パイロットシンボルはＳＣＣＨおよびデータチャネルのチャネル推定、移動局での受信品質の測定等に用いられるため、このようにパイロットシンボルが受ける干渉を均一化させることにより、ＳＣＣＨおよびデータチャネルの受信性能を安定させることができるとともに、ＳＣＣＨの送信電力制御およびデータチャネルの適応制御の精度を向上させることができる。【００９３】
さらに、パイロットシンボルは受信品質向上のため、大きい送信電力で送信される場合がある。本配置例によれば、セル１では、Ｌ−ＲＢ１のＳＣＣＨ＃Ｂ，Ｌ−ＲＢ２のＳＣＣＨ＃Ｃ，Ｌ−ＲＢ３のＳＣＣＨ＃Ｄ，Ｌ−ＲＢ４のＳＣＣＨ＃Ｅ，Ｌ−ＲＢ５のＳＣＣＨ＃Ａがセル２のパイロットシンボルＰからそれぞれ干渉を受け、セル２では、Ｌ−ＲＢ１のＳＣＣＨ＃Ａ，Ｌ−ＲＢ２のＳＣＣＨ＃Ｃ，Ｌ−ＲＢ３のＳＣＣＨ＃Ｅ，Ｌ−ＲＢ４のＳＣＣＨ＃Ｂ，Ｌ−ＲＢ５のＳＣＣＨ＃Ｄがセル１のパイロットシンボルＰからそれぞれ干渉を受ける。よって、本配置例によれば、１つのＳＣＣＨが隣接セルのパイロットシンボルから受ける干渉も均一化されるため、配置例８よりも、ＳＣＣＨの誤り率特性を向上させることができる。【００９４】
また、本配置例によれば、ＳＣＣＨの組合せをＬ−ＲＢ１〜Ｌ−ＲＢ５のすべてにおいて同一として各移動局のＳＣＣＨを各ＲＢに均等に配置するため、基地局間非同期システムの場合には、配置例１と同様の効果を得ることができる。【００９５】
なお、本配置例ではＬ−ＲＢ１のＳＣＣＨ＃Ａ〜＃Ｅの配置パターンをＬ−ＲＢ毎に巡回シフトさせて各Ｌ−ＲＢ内におけるＳＣＣＨ＃Ａ〜＃Ｅの配置を互いに異ならせたが、巡回シフトに依らない配置方法により各Ｌ−ＲＢ内におけるＳＣＣＨ＃Ａ〜＃Ｅの配置を互いに異ならせて隣接セル間でのパイロットシンボルＰとＳＣＣＨとの上記のような対応を形成してもよい。【００９６】
＜ＳＣＣＨ配置例１１（図１７,１８）＞
本配置例は、ＳＣＣＨのＬ−ＲＢ毎の配置パターンを予め決められた複数の配置パターンの中から選択する点において配置例１０と相違する。【００９７】
すなわち、本配置例では、セル１におけるＳＣＣＨの各Ｌ−ＲＢの配置パターンを図１２に示すパターン１〜５の中から選択するとともに、セル２におけるＳＣＣＨの各Ｌ−ＲＢの配置パターンを図１７に示すパターン１〜５の中から選択する。パターン１〜５はそれぞれ、１サブバンド単位の配置パターンである。【００９８】
例えば、セル１における配置パターンを図１３に示したものとする場合に、セル２における基地局１００の配置部１０２は、図１８に示すように、Ｌ−ＲＢ１に対してパターン３、Ｌ−ＲＢ２に対してパターン１、Ｌ−ＲＢ３に対してパターン５、Ｌ−ＲＢ４に対してパターン４、Ｌ−ＲＢ５に対してパターン２を選択して割り当てる。これにより、セル２では、パイロットシンボルＰがサブキャリアｆ３,ｆ９,ｆ１５,ｆ２１,ｆ２７に配置される場合、移動局＃ＡのＳＣＣＨ＃Ａがサブキャリアｆ６,ｆ７,ｆ１７,ｆ２０,ｆ２８に配置され、移動局＃ＢのＳＣＣＨ＃Ｂがサブキャリアｆ１,ｆ８,ｆ１６,ｆ２４,ｆ３０に配置され、移動局＃ＣのＳＣＣＨ＃Ｃがサブキャリアｆ２,ｆ１０,ｆ１３,ｆ２２,ｆ２９に配置され、移動局＃ＤのＳＣＣＨ＃Ｄがサブキャリアｆ４,ｆ１１,ｆ１４,ｆ２３,ｆ２５に配置され、移動局＃ＥのＳＣＣＨ＃Ｅがサブキャリアｆ５,ｆ１２,ｆ１８,ｆ１９,ｆ２６に配置される。【００９９】
このように、本配置例によれば、セル１でのＬ−ＲＢ毎に選択可能な配置パターンが図１２に示すパターン１〜５に予め決められているととともに、セル２でのＬ−ＲＢ毎に選択可能な配置パターンが図１７に示すパターン１〜５に予め決められているため、セル毎に各Ｌ−ＲＢに対してパターン１〜５のいずれかを選択して割り当てるという簡易な処理だけで、パイロットシンボルＰが配置されるサブキャリアが隣接セル間で互いに異なる場合でも、隣接セル間でのＳＣＣＨ同士の干渉をランダム化することができる。【０１００】
また、本配置例によれば、ＳＣＣＨの組合せを図１２に示すパターン１〜５のすべてにおいて同一とするとともに、図１７に示すパターン１〜５のすべてにおいて同一として各移動局のＳＣＣＨを各Ｌ−ＲＢに均等に配置するため、基地局間非同期システムの場合には、配置例１と同様の効果を得ることができる。【０１０１】
なお、本配置例では、さらなるランダム化のために、Ｌ−ＲＢ１〜Ｌ−ＲＢ５とパターン１〜５との対応関係をサブフレーム毎に変化させて、各Ｌ−ＲＢの配置パターンをサブフレーム毎に変化させてもよい。【０１０２】
＜ＳＣＣＨ配置例１２（図１９,２０）＞
本配置例は、１Ｌ−ＲＢ当たりのサブキャリア数とパイロットシンボル間隔とが一致しない場合の配置例である。【０１０３】
具体的には、図１９,２０に示すように、１Ｌ−ＲＢ当たりのサブキャリア数が１２サブキャリアであるの対し、パイロットシンボル間隔が６サブキャリアである場合、本配置例では、セル１における配置パターンを図１９に示すものとし、セル２における配置パターンを図２０に示すものとする。つまり、本配置例では、１つのＳＣＣＨを構成するサブキャリアが１Ｌ−ＲＢ内に２サブキャリア存在することになる。【０１０４】
このように、本配置例によれば、ＳＣＣＨのＬ−ＲＢ毎の配置パターンが隣接セル間で互いに異なるため、基地局間同期システムの場合に、隣接セル間でのＳＣＣＨ同士の干渉をランダム化することができる。よって、本配置例によれば、１Ｌ−ＲＢ当たりのサブキャリア数とパイロットシンボル間隔とが一致しない場合でも、ＳＣＣＨの送信電力制御の精度の劣化を防止して、ＳＣＣＨの誤り率特性の劣化を防ぐことができる。【０１０５】
また、本配置例によれば、ＳＣＣＨの組合せをＬ−ＲＢ１〜Ｌ−ＲＢ３のすべてにおいて同一として各移動局のＳＣＣＨを各ＲＢに均等に配置するため、基地局間非同期システムの場合には、配置例１と同様の効果を得ることができる。【０１０６】
さらに、本配置例では、セル１では図１９に示すようにＬ−ＲＢ単位で配置パターンを変化させるのに対し、セル２では図２０に示すようにパイロットシンボル間隔のブロック単位で配置パターンを変化させる。これにより、隣接セル間でのＳＣＣＨ同士の干渉をさらにランダム化することができる。【０１０７】
なお、セル１およびセル２の双方においてＬ−ＲＢ単位で配置パターンを変化させてもよいし、また、セル１およびセル２の双方においてパイロットシンボル間隔のブロック単位で配置パターンを変化させてもよい。セル１およびセル２の双方においてパイロットシンボル間隔のブロック単位で配置パターンを変化させることにより、隣接セルのパイロットシンボルＰに与える干渉をより低減することができる。【０１０８】
＜ＳＣＣＨ配置例１３（図２１）＞
本配置例は、ＳＣＣＨ数が１Ｌ−ＲＢ当たりのサブキャリア数よりも多い場合等、送信されるＳＣＣＨの数が１Ｌ−ＲＢ内に配置可能なＳＣＣＨ数よりも多い場合の配置例である。【０１０９】
具体的には、図２１に示すように、ＳＣＣＨ数がＳＣＣＨ＃Ａ〜＃Ｊの１０個であるに対し、１Ｌ−ＲＢ当たりのサブキャリア数が５サブキャリアである場合、本配置例では、ＳＣＣＨ＃Ａ〜＃Ｅを奇数番目のＬ−ＲＢであるＬ−ＲＢ１,Ｌ−ＲＢ３,Ｌ−ＲＢ５に配置し、ＳＣＣＨ＃Ｆ〜＃Ｊを偶数番目のＬ−ＲＢであるＬ−ＲＢ２,Ｌ−ＲＢ４,Ｌ−ＲＢ６に配置する。これにより、Ｌ−ＲＢ１とＬ−ＲＢ２とで構成されるブロックでの配置パターンと、Ｌ−ＲＢ３とＬ−ＲＢ４とで構成されるブロックでの配置パターンと、Ｌ−ＲＢ５とＬ−ＲＢ６とで構成されるブロックでの配置パターンとを互いに同一にすることができる。【０１１０】
このように、本配置例によれば、ＳＣＣＨの組合せを２Ｌ−ＲＢ単位で同一として各移動局のＳＣＣＨを２Ｌ−ＲＢ単位で均等に配置するため、基地局間非同期システムにおいてＳＣＣＨ数が１Ｌ−ＲＢ当たりのサブキャリア数よりも多い場合でも、配置例１と同様の効果を得ることができる。【０１１１】
また、ＳＣＣＨのＬ−ＲＢ毎の配置パターンを隣接セル間で互いに異ならせることにより、基地局間同期システムにおいてＳＣＣＨ数が１Ｌ−ＲＢ当たりのサブキャリア数よりも多い場合でも、隣接セル間でのＳＣＣＨ同士の干渉をランダム化することができるため、ＳＣＣＨの送信電力制御の精度の劣化を防止して、ＳＣＣＨの誤り率特性の劣化を防ぐことができる。【０１１２】
なお、奇数番目のＬ−ＲＢ（つまりＳＣＣＨ＃Ａ〜＃Ｅが配置されるＬ−ＲＢ）および偶数番目のＬ−ＲＢ（つまりＳＣＣＨ＃Ｆ〜Ｊが配置されるＬ−ＲＢ）のそれぞれにおいて、配置例８のように、ＳＣＣＨの配置パターンを隣接セル間で互いに異ならせてもよい。これにより、配置例８と同様の効果を得ることができる。【０１１３】
また、奇数番目のＬ−ＲＢ（つまりＳＣＣＨ＃Ａ〜＃Ｅが配置されるＬ−ＲＢ）および偶数番目のＬ−ＲＢ（つまりＳＣＣＨ＃Ｆ〜Ｊが配置されるＬ−ＲＢ）のそれぞれに対し、配置例９のようにして配置パターンを選択してもよい。これにより、配置例９と同様の効果を得ることができる。【０１１４】
以上、本発明の実施の形態について説明した。【０１１５】
なお、上記配置例では各ＳＣＣＨを各ＲＢに完全に均等に配置する例を示したが、各ＳＣＣＨが各ＲＢにほぼ均等に配置されれば上記同様の効果を得ることができる。【０１１６】
また、上記説明で用いたサブフレームは、例えばタイムスロットやフレーム等、他の送信時間単位であってもよい。【０１１７】
また、上記説明で用いたＲＢは、例えばサブキャリアブロック等、周波数軸上の他の伝送単位であってもよい。【０１１８】
また、移動局はUE、基地局装置はNode B、サブキャリアはトーンと称されることもある。また、サブバンドは、サブチャネル、サブキャリアブロック、または、チャンクと称されることもある。また、ＣＰは、ガードインターバル（Guard Interval：ＧＩ）と称されることもある。また、ＳＣＣＨはＰＤＣＣＨ（Physical Downlink Control Channel）またはＣＣＥ（Control Channel Element）と称されることもある。また、パイロットシンボルは参照信号（Reference Signal）と称されることもある。また、１サブキャリアと１ＯＦＤＭシンボルとで構成されるリソース単位をＲＥ（Resource Element）と称することもある。さらに、サブバンドは、物理リソースブロック（Physical Resource Block：Ｐ−ＲＢ）、または、単にリソースブロック（Resource Block：ＲＢ）と称されることもある。【０１１９】
また、ＳＣＣＨでは、移動局ＩＤ、ＲＢ番号、ＭＣＳ情報の他、上り回線割当情報やＡｃｋ／Ｎａｃｋ信号等の制御信号を送信してもよい。【０１２０】
また、上記説明では、移動局毎に個別に送信電力制御がなされるチャネルの一例としてＳＣＣＨを挙げたが、本発明はこれに限られず、本発明は移動局毎に個別に送信電力がなされるすべてのチャネルに対して適用することができる。【０１２１】
また、上記説明では、１つのＳＣＣＨでは１つの移動局に対する制御情報を送信するようにしたが、複数の移動局をグループ化し、グループ単位で１つのＳＣＣＨを使用するようにしてもよい。この場合の送信電力制御は、グループ内で最も受信品質が低い移動局に合わせて行われる。【０１２２】
また、上記説明では、ＳＣＣＨがサブフレームの先頭に配置される例を挙げて説明したが、ＳＣＣＨは、例えばサブフレームの２番目のＯＦＤＭシンボル等、サブフレームの先頭でない位置に配置されてもよい。また、ＳＣＣＨは複数のＯＦＤＭシンボルに渡って配置されてもよい。【０１２３】
また、上記説明では、ＳＣＣＨとデータチャネルとを時間多重する例を挙げて説明したが、ＳＣＣＨとデータチャネルとを周波数多重してもよい。【０１２４】
また、上記説明では、ＳＣＣＨを各サブキャリアに配置した後に送信電力制御を行ったが、ＳＣＣＨに対する送信電力制御を行った後に各サブキャリアに配置してもよい。つまり、図１において、配置部１０２と送信電力制御部１０３との位置を入れ替え、配置部１０２の前段に送信電力制御部１０３を置いてもよい。【０１２５】
また、３ＧＰＰ ＬＴＥ（Long Term Evolution）ではシステム帯域幅がリソースブロック単位で設定されるため、上記配置例のように、ＳＣＣＨの配置パターンをリソースブロック単位で決めることにより、様々なシステム帯域幅に柔軟に対応することができる。【０１２６】
また、上記実施の形態では、本発明をハードウェアで構成する場合を例にとって説明したが、本発明はソフトウェアで実現することも可能である。【０１２７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１２８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１２９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１３０】
２００６年８月１８日出願の特願２００６−２２３５８３および２００７年４月１１日出願の特願２００７−１０４２０９の日本出願に含まれる明細書、図面および要約書の開示内容は、すべて本願に援用される。
【産業上の利用可能性】
【０１３１】
本発明は、移動体通信システム等に適用することができる。
【図１】
2008020623.tif 000003
【図２】
2008020623.tif 000004
【図３】
2008020623.tif 000005
【図４】
2008020623.tif 000006
【図５】
2008020623.tif 000007
【図６】
2008020623.tif 000008
【図７】
2008020623.tif 000009
【図８】
2008020623.tif 000010
【図９】
2008020623.tif 000011
【図１０】
2008020623.tif 000012
【図１１】
2008020623.tif 000013
【図１２】
2008020623.tif 000014
【図１３】
2008020623.tif 000015
【図１４】
2008020623.tif 000016
【図１５】
2008020623.tif 000017
【図１６】
2008020623.tif 000018
【図１７】
2008020623.tif 000019
【図１８】
2008020623.tif 000020
【図１９】
2008020623.tif 000021
【図２０】
2008020623.tif 000022
【図２１】
2008020623.tif 000023
【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
複数の制御チャネルを、複数のリソースブロック各々における組合せが同一になるように複数のサブキャリアのいずれかに配置する配置手段と、
前記複数の制御チャネルが前記複数のサブキャリアに配置されたマルチキャリア信号を生成する生成手段と、
前記マルチキャリア信号を送信する送信手段と、
を具備する無線通信基地局装置。
【請求項２】
前記複数の制御チャネルの総送信電力を一定としたまま前記複数の制御チャネル各々の送信電力を制御する制御手段、をさらに具備する、
請求項１記載の無線通信基地局装置。
【請求項３】
前記マルチキャリア信号を構成する前記複数のサブキャリアが複数のサブバンドに分割されており、
前記配置手段は、さらに、各サブバンド内における前記複数の制御チャネルの配置パターンを互いに異ならせて前記複数の制御チャネルを前記複数のサブキャリアのいずれかに配置する、
請求項１記載の無線通信基地局装置。
【請求項４】
前記配置手段は、さらに、前記複数の制御チャネルの配置パターンを隣接セル間で互いに異ならせて前記複数の制御チャネルを前記複数のサブキャリアのいずれかに配置する、
請求項１記載の無線通信基地局装置。
【請求項５】
複数の制御チャネルを、複数のリソースブロック各々における組合せが同一になるように複数のサブキャリアのいずれかに配置する、
制御チャネル配置方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置および制御チャネル配置方法に関する。
【背景技術】
【０００２】
近年、無線通信、特に移動体通信では、音声以外に画像やデータなどの様々な情報が伝送の対象になっている。今後は、さらに高速な伝送に対する要求がさらに高まるであろうと予想され、高速伝送を行うために、限られた周波数資源をより効率よく利用して、高い伝送効率を実現する無線伝送技術が求められている。
【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。
【０００４】
このＯＦＤＭを下り回線に用い、複数の無線通信移動局装置（以下、単に移動局という）へのデータを複数のサブキャリアに周波数多重する場合に、周波数スケジューリング送信および周波数ダイバーシチ送信を行うことが検討されている（例えば、非特許文献１参照）。
【０００５】
周波数スケジューリング送信では、無線通信基地局装置（以下、単に基地局という）が各移動局での周波数帯域毎の受信品質に基づいて各移動局に対して適応的にサブキャリアを割り当てるため、最大限のマルチユーザダイバーシチ効果を得ることができる。一方で、周波数スケジューリングは、通常、隣接するサブキャリアをいくつかまとめてブロック化したサブバンド毎に行われるため、それほど高い周波数ダイバーシチ効果は得られない。
【０００６】
非特許文献１では、このような周波数スケジューリング送信を行うためのチャネルをLocalized Channel（以下、Ｌｃｈという）と称している。Ｌｃｈは、サブバンド単位や、連続した複数のサブキャリア単位で配置される。また、ＬｃｈはLocalized Resource Block（以下、Ｌ−ＲＢという）と称されることもある。
【０００７】
なお、非特許文献１では、１フレーム（１０ｍｓ）が２０サブフレーム（１サブフレーム＝０.５ｍｓ）に分割され、１サブフレームに６個または７個のＯＦＤＭシンボルが含まれる例が示されている。
【０００８】
これに対し、周波数ダイバーシチ送信は、各移動局へのデータを全帯域のサブキャリアに分散させて配置するため、高い周波数ダイバーシチ効果を得ることができる。一方で、周波数ダイバーシチ送信は、各移動局での受信品質と無関係に行われるため、周波数スケジューリング送信のようなマルチユーザダイバーシチ効果を得られない。非特許文献１では、このような周波数ダイバーシチ送信を行うためのチャネルをDistributed Channel（以下、Ｄｃｈという）と称している。なお、ＤｃｈはDistributed Resource Block（以下、Ｄ−ＲＢという）と称されることもある。
【０００９】
また、ＬｃｈおよびＤｃｈについては、適応変調等の適応制御がサブフレーム毎に行われることがある。例えば、基地局は、所要誤り率を満たすべく、移動局からフィードバックされた受信品質情報に基づいて、ＬｃｈのデータおよびＤｃｈのデータの変調方式および符号化率（Modulation and Coding Scheme：ＭＣＳ）を適応制御する。
【００１０】
基地局は、適応制御を行う場合、各サブフレームでのデータ送信先の移動局に対してサブフレーム毎に制御情報を送信する。通常、制御情報はＳＣＣＨ（Shared Control Channel）で送信される。また、制御情報には、移動局ＩＤ、ＲＢ（Resource Block）番号、ＭＣＳ情報等が含まれる。１サブフレームあたりのＳＣＣＨは、そのサブフレームでデータを送信される移動局数だけ存在する。また、ＳＣＣＨでの制御情報はデータ送信に先立って各サブフレームの先頭で送信される。さらに、ＳＣＣＨに対しては移動局毎に送信電力制御が行われる。つまり、セル境界付近に位置する移動局のＳＣＣＨは高い送信電力に制御され、セル中心部分に位置する移動局のＳＣＣＨは低い送信電力に制御される。これにより、限られた電力リソースを移動局間で融通しあって効率よく利用することができる。
【非特許文献１】R1-050604 “Downlink Channelization and Multiplexing for EUTRA”3GPP TSG RAN WG1 Ad Hoc on LTE, Sophia Antipolis, France, 20-21 June, 2005
【発明の開示】
【発明が解決しようとする課題】
【００１１】
周波数スケジューリング送信および周波数ダイバーシチ送信を行う場合、基地局からデータを送信される移動局はサブフレーム毎に変化するため、移動局毎の各ＳＣＣＨの送信電力はサブフレーム毎に変化する。また、基地局毎に送信タイミングが異なる基地局間非同期システムの場合には、ＳＣＣＨが隣接セルのデータチャネルに対する干渉となる。よって、ＳＣＣＨの送信電力がサブフレーム毎に変化すると、データチャネルがＳＣＣＨから受ける干渉もサブフレーム毎に変化してしまう。
【００１２】
ここで、データチャネルに対する周波数スケジューリングおよび適応制御は過去のサブフレームで測定された受信品質に基づいて行われるため、データチャネルがＳＣＣＨから受ける干渉がサブフレーム毎に変化してデータチャネルの受信品質がサブフレーム毎に変化してしまうと、データ送信時に現在の正確な受信品質情報を用いた適応制御を行うことができなくなってしまう。つまり、適応制御の精度が劣化してしまう。その結果、データのスループットが低下する。
【００１３】
本発明の目的は、適応制御の精度の劣化を防止することができる基地局および制御チャネル配置方法を提供することである。
【課題を解決するための手段】
【００１４】
本発明の基地局は、複数の制御チャネルを、複数のリソースブロック各々における組合せが同一になるように複数のサブキャリアのいずれかに配置する配置手段と、前記複数の制御チャネルが前記複数のサブキャリアに配置されたマルチキャリア信号を生成する生成手段と、前記マルチキャリア信号を送信する送信手段と、を具備する構成を採る。
【発明の効果】
【００１５】
本発明によれば、適応制御の精度の劣化を防止することができる。
【発明を実施するための最良の形態】
【００１６】
以下、本発明の実施の形態について、添付図面を参照して詳細に説明する。
【００１７】
本実施の形態に係る基地局１００の構成を図１に示す。基地局１００は、複数のＲＢ（Resource Block）毎にデータチャネルの適応制御が行われる移動体通信システムにおいて使用されるものである。
【００１８】
基地局１００において、ＳＣＣＨ用の符号化部１１および変調部１２からなる符号化・変調部１０１−１〜１０１−ｎ、データチャネル用の符号化部２１および変調部２２からなる符号化・変調部１０４−１〜１０４−ｎ、および、復調部３１および復号部３２からなる復調・復号部１１４−１〜１１４−ｎは、基地局１００が通信可能な移動局の数ｎだけ備えられる。また、符号化・変調部１０１−１〜１０１−ｎ、符号化・変調部１０４−１〜１０４−ｎ、および、復調・復号部１１４−１〜１１４−ｎは、移動局１〜ｎにそれぞれ対応して備えられる。
【００１９】
符号化・変調部１０１−１〜１０１−ｎにおいて、各符号化部１１は、移動局毎のＳＣＣＨで送信される移動局毎の制御情報に対して符号化処理を行い、各変調部１２は、符号化後の制御情報に対して変調処理を行って配置部１０２に出力する。
【００２０】
配置部１０２は、各移動局への制御情報を、ＯＦＤＭシンボルを構成する複数のサブキャリアのいずれかに配置して送信電力制御部１０３に出力する。つまり、配置部１０２は、移動局毎の複数のＳＣＣＨを、ＯＦＤＭシンボルを構成する複数のサブキャリアのいずれかに配置する。配置部１０２での配置処理の詳細については後述する。
【００２１】
送信電力制御部１０３は、各移動局から報告された受信品質情報に基づいて制御情報の送信電力を制御して多重部１０６に出力する。この際、送信電力制御部１０３は、移動局毎の通信帯域全体の受信品質情報に基づいてＳＣＣＨ毎に制御情報の送信電力を制御する。また、各移動局のＳＣＣＨの送信電力は、各移動局が十分な受信品質で制御情報を受信できる送信電力に設定される。つまり、送信電力制御部１０３では、複数のＳＣＣＨ各々の送信電力が制御される。
【００２２】
符号化・変調部１０４−１〜１０４−ｎにおいて、各符号化部２１は、移動局毎の送信データに対して符号化処理を行い、各変調部２２は、符号化後の送信データに対して変調処理を行って配置部１０５に出力する。このときの符号化率および変調方式は、適応制御部１１５から入力されるＭＣＳ情報に従う。
【００２３】
配置部１０５は、適応制御部１１５からの制御に従って、各移動局へのデータを、ＯＦＤＭシンボルを構成する複数のサブキャリアのいずれかに配置して多重部１０６に出力する。この際、配置部１０５は、各移動局へのデータをＬ−ＲＢまたはＤ−ＲＢを単位として複数のサブキャリアのいずれかに配置する。また、配置部１０５は、各データの配置情報（どの移動局へのデータをどのＲＢに配置したかを示す情報）として、移動局ＩＤおよびＲＢ番号を制御情報生成部１１６に出力する。
【００２４】
多重部１０６は、配置部１０５から入力される各データに送信電力制御部１０３から入力される制御情報を時間多重してＩＦＦＴ（Inverse Fast Fourier Transform）部１０７に出力する。制御情報の多重は、例えばサブフレーム毎に行われる。
【００２５】
ＩＦＦＴ部１０７は、制御情報およびデータが配置された複数のサブキャリアに対してＩＦＦＴを行って、マルチキャリア信号であるＯＦＤＭシンボルを生成する。つまり、ＩＦＦＴ部１０７は、送信電力制御後の複数のＳＣＣＨが複数のサブキャリアに配置されたＯＦＤＭシンボルを生成する。
【００２６】
ＣＰ（Cyclic Prefix）付加部１０８は、ＯＦＤＭシンボルの後尾部分と同じ信号をＣＰとしてＯＦＤＭシンボルの先頭に付加する。
【００２７】
無線送信部１０９は、ＣＰ付加後のＯＦＤＭシンボルに対しＤ／Ａ変換、増幅およびアップコンバート等の送信処理を行ってアンテナ１１０から各移動局へ送信する。
【００２８】
一方、無線受信部１１１は、最大ｎ個の移動局から同時に送信されたｎ個のＯＦＤＭシンボルをアンテナ１１０を介して受信し、これらのＯＦＤＭシンボルに対しダウンコンバート、Ｄ／Ａ変換等の受信処理を行う。
【００２９】
ＣＰ除去部１１２は、受信処理後のＯＦＤＭシンボルからＣＰを除去する。
【００３０】
ＦＦＴ（Fast Fourier Transform）部１１３は、ＣＰ除去後のＯＦＤＭシンボルに対してＦＦＴを行って、周波数軸上で多重された移動局毎の信号を得る。ここで、各移動局は互いに異なるサブキャリアまたは互いに異なるサブバンドを用いて信号を送信しており、移動局毎の信号にはそれぞれ、各移動局から報告される受信品質情報が含まれている。なお、各移動局では、受信品質の測定を、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行うことができる。また、受信品質情報は、ＣＱＩ（Channel Quality Indicator）やＣＳＩ（Channel State Information）等と表されることがある。
【００３１】
復調・復号部１１４−１〜１１４−ｎにおいて、各復調部３１は、ＦＦＴ後の信号対して変調処理を行い、各復号部３２は、復調後の信号に対して復号処理を行う。これにより、受信データが得られる。受信データのうち受信品質情報が送信電力制御部１０３および適応制御部１１５に入力される。
【００３２】
適応制御部１１５は、各移動局から報告された受信品質情報に基づいて各移動局への送信データに対する適応制御を行う。すなわち、適応制御部１１５は、受信品質情報に基づいて、符号化・変調部１０４−１〜１０４−ｎに対しては、所要誤り率を満たすことができるＭＣＳの選択を行ってＭＣＳ情報を出力する。この適応制御は、Ｌ−ＲＢ毎およびＤ−ＲＢ毎に行われる。つまり、適応制御部１１５は、複数のＲＢ毎にデータチャネルの適応制御を行う。また、適応制御部１１５は、受信品質情報に基づいて、配置部１０５に対しては、Max SIR法やProportional Fairness法等のスケジューリングアルゴリズムを用いて、各移動局への送信データをどのＲＢに配置するかを決定する。また、適応制御部１１
５は、移動局毎のＭＣＳ情報を制御情報生成部１１６に出力する。
【００３３】
制御情報生成部１１６は、移動局毎の配置情報および移動局毎のＭＣＳ情報からなる移動局毎の制御情報を生成して、それぞれ対応する符号化部１１に出力する。
【００３４】
次いで、配置部１０２での配置処理の詳細について、以下に示すＳＣＣＨ配置例を用いて説明する。以下の配置例ではいずれも、配置部１０２は、送信電力制御がなされる複数のＳＣＣＨを、複数のＲＢ各々における組合せが同一になるように複数のサブキャリアのいずれかに配置する。また、上記のように、適応制御部１１５では複数のＲＢ毎にデータチャネルの適応制御が行われる。また、以下の配置例ではいずれも、ＳＣＣＨで送信される制御情報はサブフレームの先頭に時間多重される。つまり、各移動局毎のＳＣＣＨはサブフレームの先頭にあるＯＦＤＭシンボルの複数のサブキャリアのいずれかに配置される。
【００３５】
また、以下の配置例ではいずれも、１サブフレームがＯＦＤＭシンボル＃１〜＃８で構成され、ＯＦＤＭシンボル＃１の各サブキャリアにＳＣＣＨが配置され、ＯＦＤＭシンボル＃２〜＃８の各サブキャリアにデータチャネルが配置されるものとする。また、以下の配置例ではいずれも、ＯＦＤＭシンボルを構成する複数のサブキャリアは複数のサブバンドに分割されているものとする。
【００３６】
＜ＳＣＣＨ配置例１（図２）＞
本配置例は、各サブフレームでのデータチャネルがＬ−ＲＢのみで構成される場合の配置例である。具体的には、サブキャリアｆ１〜ｆ３でＬ−ＲＢ１が構成され、サブキャリアｆ４〜ｆ６でＬ−ＲＢ２が構成され、サブキャリアｆ７〜ｆ９でＬ−ＲＢ３が構成される。
【００３７】
配置部１０２は、通信帯域内のＲＢ数をＮ＿ＲＢ、１つのＳＣＣＨを構成するサブキャリア数をＭとした場合、１つのＲＢにＭ／Ｎ＿ＲＢずつのＳＣＣＨが含まれるように各移動局のＳＣＣＨを各サブキャリアに配置する。これにより、各移動局のＳＣＣＨを各ＲＢに均等に配置することができる。なお、ＭがＮ＿ＲＢで割り切れない場合には、余りのサブキャリアに順に各移動局のＳＣＣＨを配置することにより、各移動局のＳＣＣＨを各ＲＢにほぼ均等に配置することができる。
【００３８】
よって、図２に示すようなＲＢ構成の場合、配置部１０２は、移動局＃ＡのＳＣＣＨ＃Ａをサブキャリアｆ１,ｆ４,ｆ７に配置し、移動局＃ＢのＳＣＣＨ＃Ｂをサブキャリアｆ２,ｆ５,ｆ８に配置し、移動局＃ＣのＳＣＣＨ＃Ｃをサブキャリアｆ３,ｆ６,ｆ９に配置する。この配置によって、複数のＳＣＣＨの組合せは、Ｌ−ＲＢ１〜Ｌ−ＲＢ３のいずれにおいてもＳＣＣＨ＃Ａ,＃Ｂ,＃Ｃの組合せとなり、すべて同一の組合せとなる。よって、送信電力制御によりＳＣＣＨ＃Ａと、ＳＣＣＨ＃Ｂと、ＳＣＣＨ＃Ｃとが互いに異なる送信電力となっても、ＲＢ毎の平均送信電力は、Ｌ−ＲＢ１とＬ−ＲＢ２とＬ−ＲＢ３とで互いに等しくなる。
【００３９】
このように、ＳＣＣＨの組合せをＬ−ＲＢ１〜Ｌ−ＲＢ３のすべてにおいて同一として各移動局のＳＣＣＨを各ＲＢに均等に配置することにより、１つの移動局のＳＣＣＨの送信電力の変化が１つのＲＢに与える干渉変動の寄与分を最小にすることができる。さらに、サブフレーム毎に各移動局のＳＣＣＨの送信電力は互いに独立に変化するため、平均化効果により、ＳＣＣＨ全体が各ＲＢに与える干渉総量の変動は小さくなる。特に、データチャネルが割り当てられる移動局がサブフレーム間で変化する場合には、ＳＣＣＨの送信電力のサブフレーム間での変化量が大きくなって平均化効果がより大きくなる。よって、本配置例によれば、基地局間非同期システムにおいて、ＳＣＣＨの送信電力制御の影響に
よりデータチャネルが各ＳＣＣＨから受ける干渉がサブフレーム毎に変化してしまう場合でも、データチャネルの適応制御の精度劣化を防ぐことができる。
【００４０】
なお、送信電力制御部１０３は、ＳＣＣＨ＃Ａ,＃Ｂ,＃Ｃの総送信電力を一定としたままＳＣＣＨ＃Ａ,＃Ｂ,＃Ｃ各々の送信電力を制御してもよい。これにより、隣接セルのＲＢが受ける干渉電力を個々のＳＣＣＨの送信電力変化によらず一定にすることができる。よって、自セルでのＳＣＣＨの送信電力制御の影響によって生じる隣接セルでの適応制御の精度劣化を防ぐことができる。
【００４１】
＜ＳＣＣＨ配置例２（図３,４）＞
本配置例は、各サブフレームでのデータチャネルがＤ−ＲＢのみ、または、Ｌ−ＲＢのみで構成され、Ｄ−ＲＢとＬ−ＲＢとがサブフレーム単位で時間多重される場合の配置例である。具体的には、サブフレーム１では、図３に示すように、サブキャリアｆ１,ｆ４,ｆ７でＤ−ＲＢ１が構成され、サブキャリアｆ２,ｆ５,ｆ８でＤ−ＲＢ２が構成され、サブキャリアｆ３,ｆ６,ｆ９でＤ−ＲＢ３が構成される。また、サブフレーム２では、図４に示すように、サブキャリアｆ１〜ｆ３でＬ−ＲＢ１が構成され、サブキャリアｆ４〜ｆ６でＬ−ＲＢ２が構成され、サブキャリアｆ７〜ｆ９でＬ−ＲＢ３が構成される。
【００４２】
このようなＲＢ構成の場合、配置部１０２は、図３および図４に示すように、移動局＃ＡのＳＣＣＨ＃Ａをサブキャリアｆ１,ｆ６,ｆ８に配置し、移動局＃ＢのＳＣＣＨ＃Ｂをサブキャリアｆ２,ｆ４,ｆ９に配置し、移動局＃ＣのＳＣＣＨ＃Ｃをサブキャリアｆ３,ｆ５,ｆ７に配置する。つまり、配置部１０２は、Ｄ−ＲＢの構成に合わせて、各サブバンドにおけるＳＣＣＨ＃Ａ〜＃Ｃの配置パターンをサブバンド毎に巡回シフトさせ、各サブバンド内におけるＳＣＣＨ＃Ａ〜＃Ｃの配置パターンを互いに異ならせてＳＣＣＨ＃Ａ〜＃Ｃをサブキャリアｆ１〜ｆ９のいずれかに配置する。
【００４３】
このような配置を採ることにより、Ｄ−ＲＢで構成されるサブフレーム１とＬ−ＲＢで構成されるサブフレーム２との間においてＳＣＣＨの配置を変えなくても、複数のＳＣＣＨの組合せは、サブフレーム１のＤ−ＲＢ１〜Ｄ−ＲＢ３およびサブフレーム２のＬ−ＲＢ１〜Ｌ−ＲＢ３のいずれにおいてもＳＣＣＨ＃Ａ,＃Ｂ,＃Ｃの組合せとなり、すべて同一の組合せとなる。よって、Ｄ−ＲＢとＬ−ＲＢとがサブフレーム単位で時間多重される場合でも、ＳＣＣＨの配置を変えることなく、複数サブフレームに渡って各移動局のＳＣＣＨを各ＲＢに均等に配置することができる。よって、Ｄ−ＲＢとＬ−ＲＢとがサブフレーム単位で時間多重され、かつ、ＳＣＣＨの送信電力制御の影響によりデータチャネルが各ＳＣＣＨから受ける干渉がサブフレーム毎に変化してしまう場合でも、データチャネルの適応制御の精度劣化を防ぐことができる。
【００４４】
＜ＳＣＣＨ配置例３（図５）＞
本配置例は、各サブフレームにおいてＤ−ＲＢとＬ−ＲＢとが周波数多重され、１サブフレームにおけるＬ−ＲＢ数がＤ−ＲＢ数よりも多い場合の配置例である。また、本配置例は、ＳＣＣＨ数（ここではＳＣＣＨ＃Ａ,＃Ｂ,＃Ｃの３つ）が１サブバンド内のＤ−ＲＢ数（ここではＤ−ＲＢ１,２,３の３つ）と同数の場合の配置例である。
【００４５】
具体的には、サブキャリアｆ１,ｆ１０,ｆ１９でＤ−ＲＢ１が構成され、サブキャリアｆ２,ｆ１１,ｆ２０でＤ−ＲＢ２が構成され、サブキャリアｆ３,ｆ１２,ｆ２１でＤ−ＲＢ３が構成されるとともに、サブキャリアｆ４〜ｆ６でＬ−ＲＢ１が構成され、サブキャリアｆ７〜ｆ９でＬ−ＲＢ２が構成され、サブキャリアｆ１３〜ｆ１５でＬ−ＲＢ３が構成され、サブキャリアｆ１６〜ｆ１８でＬ−ＲＢ４が構成され、サブキャリアｆ２２〜ｆ２４でＬ−ＲＢ５が構成され、サブキャリアｆ２５〜ｆ２７でＬ−ＲＢ６が構成される。
【００４６】
このようなＲＢ構成の場合、配置部１０２は、移動局＃ＡのＳＣＣＨ＃Ａをサブキャリアｆ１,ｆ４,ｆ７,ｆ１２,ｆ１５,ｆ１８,ｆ２０,ｆ２３,ｆ２６に配置し、移動局＃ＢのＳＣＣＨ＃Ｂをサブキャリアｆ２,ｆ５,ｆ８,ｆ１０,ｆ１３,ｆ１６,ｆ２１,ｆ２４,ｆ２７に配置し、移動局＃ＣのＳＣＣＨ＃Ｃをサブキャリアｆ３,ｆ６,ｆ９,ｆ１１,ｆ１４,ｆ１７,ｆ１９,ｆ２２,ｆ２５に配置する。つまり、配置部１０２は、Ｄ−ＲＢの構成に合わせて、３サブバンド周期で、各サブバンドにおけるＳＣＣＨ＃Ａ〜＃Ｃの配置パターンを巡回シフトさせ、各サブバンド内におけるＳＣＣＨ＃Ａ〜＃Ｃの配置パターンを３サブバンド周期で互いに異ならせてＳＣＣＨ＃Ａ〜＃Ｃをサブキャリアｆ１〜ｆ２７のいずれかに配置する。
【００４７】
このような配置を採ることにより、複数のＳＣＣＨの組合せは、Ｄ−ＲＢ１〜Ｄ−ＲＢ３およびＬ−ＲＢ１〜Ｌ−ＲＢ６のいずれにおいてもＳＣＣＨ＃Ａ,＃Ｂ,＃Ｃの組合せとなり、すべて同一の組合せとなる。よって、Ｄ−ＲＢとＬ−ＲＢとが周波数多重され、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。
【００４８】
＜ＳＣＣＨ配置例４（図６）＞
本配置例は、各サブフレームにおいてＤ−ＲＢとＬ−ＲＢとが周波数多重され、１サブフレームにおけるＬ−ＲＢ数がＤ−ＲＢ数よりも少ない場合の配置例である。また、本配置例は、配置例３同様、ＳＣＣＨ数（ここではＳＣＣＨ＃Ａ,＃Ｂ,＃Ｃの３つ）が１サブバンド内のＤ−ＲＢ数（ここではＤ−ＲＢ１,２,３の３つ）と同数の場合の配置例である。
【００４９】
具体的には、サブキャリアｆ１,ｆ１０,ｆ１９でＤ−ＲＢ１が構成され、サブキャリアｆ２,ｆ１１,ｆ２０でＤ−ＲＢ２が構成され、サブキャリアｆ３,ｆ１２,ｆ２１でＤ−ＲＢ３が構成され、サブキャリアｆ４,ｆ１３,ｆ２２でＤ−ＲＢ４が構成され、サブキャリアｆ５,ｆ１４,ｆ２３でＤ−ＲＢ５構成され、サブキャリアｆ６,ｆ１５,ｆ２４でＤ−ＲＢ６が構成されるとともに、サブキャリアｆ７〜ｆ９でＬ−ＲＢ１が構成され、サブキャリアｆ１６〜ｆ１８でＬ−ＲＢ２が構成され、サブキャリアｆ２５〜ｆ２７でＬ−ＲＢ３が構成される。
【００５０】
このようなＲＢ構成の場合、配置部１０２は、配置例３同様、移動局＃ＡのＳＣＣＨ＃Ａをサブキャリアｆ１,ｆ４,ｆ７,ｆ１２,ｆ１５,ｆ１８,ｆ２０,ｆ２３,ｆ２６に配置し、移動局＃ＢのＳＣＣＨ＃Ｂをサブキャリアｆ２,ｆ５,ｆ８,ｆ１０,ｆ１３,ｆ１６,ｆ２１,ｆ２４,ｆ２７に配置し、移動局＃ＣのＳＣＣＨ＃Ｃをサブキャリアｆ３,ｆ６,ｆ９,ｆ１１,ｆ１４,ｆ１７,ｆ１９,ｆ２２,ｆ２５に配置する。つまり、配置部１０２は、配置例３同様、Ｄ−ＲＢの構成に合わせて、３サブバンド周期で、各サブバンドにおけるＳＣＣＨ＃Ａ〜＃Ｃの配置パターンを巡回シフトさせ、各サブバンド内におけるＳＣＣＨ＃Ａ〜＃Ｃの配置パターンを３サブバンド周期で互いに異ならせてＳＣＣＨ＃Ａ〜＃Ｃをサブキャリアｆ１〜ｆ２７のいずれかに配置する。
【００５１】
このような配置を採ることにより、配置例３同様、複数のＳＣＣＨの組合せは、Ｄ−ＲＢ１〜Ｄ−ＲＢ６およびＬ−ＲＢ１〜Ｌ−ＲＢ３のいずれにおいてもＳＣＣＨ＃Ａ,＃Ｂ,＃Ｃの組合せとなり、すべて同一の組合せとなる。よって、Ｄ−ＲＢとＬ−ＲＢとが周波数多重され、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。
【００５２】
さらに、配置例３（図５）と本配置例（図６）とにおけるＳＣＣＨ配置が同一であることから、図５および図６に示すＳＣＣＨ配置を採ることにより、各サブフレームで周波数多重されるＤ−ＲＢの数とＬ−ＲＢの数との大小関係によらず、各移動局のＳＣＣＨを各ＲＢに均等に配置することができる。
【００５３】
＜ＳＣＣＨ配置例５（図７）＞
１つのＳＣＣＨにより１つの移動局に対して複数のＲＢを割り当てることが可能であるが、データ伝送の遅延要求などを考慮すると、総ＲＢ数の１／２〜１／４程度の数のＳＣＣＨを使用することが好ましい。この場合、ＳＣＣＨの数が１サブバンド内のＤ−ＲＢ数よりも多くなることがある。
【００５４】
そこで、本配置例では、Ｄ−ＲＢとＬ−ＲＢとが周波数多重されるＲＢ構成において、ＳＣＣＨ数（ここではＳＣＣＨ＃Ａ〜＃Ｆの６つ）が１サブバンド内のＤ−ＲＢ数（ここではＤ−ＲＢ１〜Ｄ−ＲＢ３の３つ）よりも多い場合の配置例を示す。また、本配置例は、ＳＣＣＨ数が１サブバンド内のＤ−ＲＢ数の整数倍のときの配置例である。
【００５５】
このようなＲＢ構成の場合、配置部１０２は、移動局＃Ａ〜＃ＦのＳＣＣＨ＃Ａ〜＃Ｆを図７に示すように配置する。つまり、配置部１０２は、配置例３同様、Ｄ−ＲＢの構成に合わせて、３サブバンド周期で、各サブバンドにおけるＳＣＣＨ＃Ａ〜＃Ｆの配置パターンを巡回シフトさせ、各サブバンド内におけるＳＣＣＨ＃Ａ〜＃Ｆの配置パターンを３サブバンド周期で互いに異ならせてＳＣＣＨ＃Ａ〜＃Ｆを各サブキャリアに配置する。本配置例では、各サブバンドにおけるＳＣＣＨ＃Ａ〜＃Ｆの順番を３サブバンド周期で２つずつ巡回シフトさせている。
【００５６】
このような配置を採ることにより、複数のＳＣＣＨの組合せは、Ｄ−ＲＢ１〜Ｄ−ＲＢ３およびＬ−ＲＢ１〜Ｌ−ＲＢ６のいずれにおいてもＳＣＣＨ＃Ａ〜＃Ｆの組合せとなり、すべて同一の組合せとなる。よって、Ｄ−ＲＢとＬ−ＲＢとが周波数多重され、１サブフレームにおけるＤ−ＲＢ数がＬ−ＲＢ数よりも多く、かつ、ＳＣＣＨの送信電力制御の影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。
【００５７】
＜ＳＣＣＨ配置例６（図８）＞
本配置例は、Ｄ−ＲＢとＬ−ＲＢとが周波数多重されるＲＢ構成において、配置例５同様、ＳＣＣＨ数（ここではＳＣＣＨ＃Ａ〜＃Ｄの４つ）が１サブバンド内のＤ−ＲＢ数（ここではＤ−ＲＢ１〜Ｄ−ＲＢ３の３つ）よりも多い場合の配置例である。また、本配置例は、ＳＣＣＨ数が１サブバンド内のＤ−ＲＢ数の整数倍でないときの配置例である。
【００５８】
このようなＲＢ構成の場合、配置部１０２は、移動局＃Ａ〜＃ＤのＳＣＣＨ＃Ａ〜＃Ｄを図８に示すように配置する。つまり、配置部１０２は、配置例３同様、Ｄ−ＲＢの構成に合わせて、３サブバンド周期で、各サブバンドにおけるＳＣＣＨ＃Ａ〜＃Ｄの配置パターンを巡回シフトさせ、各サブバンド内におけるＳＣＣＨ＃Ａ〜＃Ｄの配置パターンを３サブバンド周期で互いに異ならせてＳＣＣＨ＃Ａ〜＃Ｄを各サブキャリアに配置する。本配置例では、各サブバンドにおけるＳＣＣＨ＃Ａ〜＃Ｄの順番を３サブバンド周期で２つずつ巡回シフトさせている。
【００５９】
このような配置を採ることにより、複数のＳＣＣＨの組合せは、Ｄ−ＲＢ１〜Ｄ−ＲＢ３およびＬ−ＲＢ１〜Ｌ−ＲＢ６のいずれにおいてもＳＣＣＨ＃Ａ〜＃Ｄの組合せとなり、すべて同一の組合せとなる。よって、Ｄ−ＲＢとＬ−ＲＢとが周波数多重され、１サブフレームにおけるＤ−ＲＢ数がＬ−ＲＢ数よりも多く、かつ、ＳＣＣＨの送信電力制御の
影響によりデータチャネルが各ＳＣＣＨから受ける干渉がサブフレーム毎に変化してしまう場合でも、各移動局のＳＣＣＨを各ＲＢに均等に配置することができ、データチャネルの適応制御の精度劣化を防ぐことができる。
【００６０】
さらに、配置例５（図７）および本配置例（図８）から分かるとおり、ＳＣＣＨ数が１サブバンド内のＤ−ＲＢ数の整数倍であるか否かにかかわらず、各移動局のＳＣＣＨを各ＲＢに均等に配置することができる。
【００６１】
＜ＳＣＣＨ配置例７（図９）＞
本配置例は、ＳＣＣＨの配置パターンを隣接セル間で互いに異ならせる配置例である。
【００６２】
ＳＣＣＨの送信電力制御は過去のサブフレームで測定された受信品質に基づいて行われるため、隣接セル間において一方のセルのＳＣＣＨが他方のセルのＳＣＣＨから受ける干渉がサブフレーム毎に変化して一方のセルのＳＣＣＨの受信品質がサブフレーム毎に変化してしまうと、一方のセルでの制御情報送信時に現在の正確な受信品質情報を用いた送信電力制御を行うことができなくなってしまう。つまり、ＳＣＣＨの送信電力制御の精度が劣化してしまう。その結果、ＳＣＣＨの誤り率特性が劣化する。
【００６３】
そこで、本配置例では、例えば、セル１とセル２とが互いに隣接し、セル１における配置パターンを図５に示したものとする場合に、セル２における配置パターンを図９に示すものとする。図９に示した配置パターンも、配置例３に従ったものである。但し、図５の配置パターンと図９の配置パターンとでは、同一サブキャリアに配置されるＳＣＣＨが互いに異なる。
【００６４】
このように、セル１とセル２との間でＳＣＣＨの配置パターンを互いに異ならせることにより、セル１とセル２とにおいて同じタイミングでＳＣＣＨが送信される場合、つまり、複数の基地局の送信タイミングが同じである基地局間同期システムの場合に、隣接セル間でのＳＣＣＨ同士の干渉をランダム化することができる。よって、本配置例によれば、ＳＣＣＨの送信電力制御の精度の劣化を防止して、ＳＣＣＨの誤り率特性の劣化を防ぐことができる。また、本配置例によれば、基地局間非同期システムの場合には、配置例３と同様の効果を得ることができる。
【００６５】
＜ＳＣＣＨ配置例８（図１０,１１）＞
本配置例は、各サブフレームでのデータチャネルがＬ−ＲＢのみで構成され、ＳＣＣＨのＬ−ＲＢ毎の配置パターンを隣接セル間で互いに異ならせる配置例である。具体的には、サブキャリアｆ１〜ｆ６でＬ−ＲＢ１が構成され、サブキャリアｆ７〜ｆ１２でＬ−ＲＢ２が構成され、サブキャリアｆ１３〜ｆ１８でＬ−ＲＢ３が構成され、サブキャリアｆ１９〜ｆ２４でＬ−ＲＢ４が構成され、サブキャリアｆ２５〜ｆ３０でＬ−ＲＢ５が構成される。
【００６６】
なお、以下の配置例ではいずれも、パイロットシンボルＰがサブフレームの先頭に６サブキャリア間隔で多重されるものとする。
【００６７】
このようなＲＢ構成を採り、例えばセル１とセル２とが互いに隣接する場合、本配置例では、セル１における配置パターンを図１０に示すものとし、セル２における配置パターンを図１１に示すものとする。
【００６８】
すなわち、セル１における基地局１００の配置部１０２は、図１０に示すように、パイロットシンボルＰがサブキャリアｆ１,ｆ７,ｆ１３,ｆ１９,ｆ２５に配置される場合、移動局＃ＡのＳＣＣＨ＃Ａをサブキャリアｆ２,ｆ８,ｆ１４,ｆ２０,ｆ２６に配置し、移動
局＃ＢのＳＣＣＨ＃Ｂをサブキャリアｆ３,ｆ９,ｆ１５,ｆ２１,ｆ２７に配置し、移動局＃ＣのＳＣＣＨ＃Ｃをサブキャリアｆ４,ｆ１０,ｆ１６,ｆ２２,ｆ２８に配置し、移動局＃ＤのＳＣＣＨ＃Ｄをサブキャリアｆ５,ｆ１１,ｆ１７,ｆ２３,ｆ２９に配置し、移動局＃ＥのＳＣＣＨ＃Ｅをサブキャリアｆ６,ｆ１２,ｆ１８,ｆ２４,ｆ３０に配置する。このように、セル１では、Ｌ−ＲＢ１〜Ｌ−ＲＢ５においてＬ−ＲＢ毎の配置パターンが互いに同じである。
【００６９】
一方、セル２における基地局１００の配置部１０２は、図１１に示すように、パイロットシンボルＰがサブキャリアｆ１,ｆ７,ｆ１３,ｆ１９,ｆ２５に配置される場合、移動局＃ＡのＳＣＣＨ＃Ａをサブキャリアｆ２,ｆ１１,ｆ１５,ｆ２４,ｆ２８に配置し、移動局＃ＢのＳＣＣＨ＃Ｂをサブキャリアｆ３,ｆ１２,ｆ１６,ｆ２０,ｆ２９に配置し、移動局＃ＣのＳＣＣＨ＃Ｃをサブキャリアｆ４,ｆ８,ｆ１７,ｆ２１,ｆ３０に配置し、移動局＃ＤのＳＣＣＨ＃Ｄをサブキャリアｆ５,ｆ９,ｆ１８,ｆ２２,ｆ２６に配置し、移動局＃ＥのＳＣＣＨ＃Ｅをサブキャリアｆ６,ｆ１０,ｆ１４,ｆ２３,ｆ２７に配置する。このように、セル２では、Ｌ−ＲＢ１のＳＣＣＨ＃Ａ〜＃Ｅの配置パターンをセル１と同一とし、かつ、Ｌ−ＲＢ１のＳＣＣＨ＃Ａ〜＃Ｅの配置パターンをＬ−ＲＢ毎に２サブキャリアずつ巡回シフトさせて各Ｌ−ＲＢ内におけるＳＣＣＨ＃Ａ〜＃Ｅの配置を互いに異ならせる。
【００７０】
よって、本配置例によれば、セル２のＳＣＣＨ＃Ａは、Ｌ−ＲＢ１ではセル１のＳＣＣＨ＃Ａから干渉を受け、Ｌ−ＲＢ２ではセル１のＳＣＣＨ＃Ｄから干渉を受け、Ｌ−ＲＢ３ではセル１のＳＣＣＨ＃Ｂから干渉を受け、Ｌ−ＲＢ４ではセル１のＳＣＣＨ＃Ｅから干渉を受け、Ｌ−ＲＢ５ではセル１のＳＣＣＨ＃Ｃから干渉を受ける。つまり、セル２のＳＣＣＨ＃Ａは、セル１のＳＣＣＨ＃Ａ〜＃Ｅのそれぞれから干渉を受ける。
【００７１】
同様に、セル２のＳＣＣＨ＃Ｂは、Ｌ−ＲＢ１ではセル１のＳＣＣＨ＃Ｂから干渉を受け、Ｌ−ＲＢ２ではセル１のＳＣＣＨ＃Ｅから干渉を受け、Ｌ−ＲＢ３ではセル１のＳＣＣＨ＃Ｃから干渉を受け、Ｌ−ＲＢ４ではセル１のＳＣＣＨ＃Ａから干渉を受け、Ｌ−ＲＢ５ではセル１のＳＣＣＨ＃Ｄから干渉を受ける。つまり、セル２のＳＣＣＨ＃Ｂも、セル１のＳＣＣＨ＃Ａ〜＃Ｅのそれぞれから干渉を受ける。
【００７２】
セル２のＳＣＣＨ＃Ｃ〜＃Ｅおよびセル１のＳＣＣＨ＃Ａ〜＃Ｅが受ける干渉についても同様である。
【００７３】
よって、本配置例によれば、基地局間同期システムの場合に、セル１およびセル２のＳＣＣＨ＃Ａ〜＃Ｅの各ＳＣＣＨの送信電力が個別に変動しても、隣接セル間でのＳＣＣＨ同士の干渉を均一化することができる。よって、本配置例によれば、ＳＣＣＨの送信電力制御の精度の劣化を防止して、ＳＣＣＨの誤り率特性の劣化を防ぐことができる。
【００７４】
また、本配置例によれば、ＳＣＣＨの組合せをＬ−ＲＢ１〜Ｌ−ＲＢ５のすべてにおいて同一として各移動局のＳＣＣＨを各ＲＢに均等に配置するため、基地局間非同期システムの場合には、配置例１と同様の効果を得ることができる。
【００７５】
なお、セル２ではＬ−ＲＢ１のＳＣＣＨ＃Ａ〜＃Ｅの配置パターンをＬ−ＲＢ毎に巡回シフトさせて各Ｌ−ＲＢ内におけるＳＣＣＨ＃Ａ〜＃Ｅの配置を互いに異ならせたが、巡回シフトに依らない配置方法により各Ｌ−ＲＢ内におけるＳＣＣＨ＃Ａ〜＃Ｅの配置を互いに異ならせて隣接セル間でのＳＣＣＨ同士の上記のような対応を形成してもよい。
【００７６】
＜ＳＣＣＨ配置例９（図１２,１３,１４）＞
本配置例は、ＳＣＣＨのＬ−ＲＢ毎の配置パターンを予め決められた複数の配置パター
ンの中から選択する点において配置例８と相違する。
【００７７】
すなわち、本配置例では、ＳＣＣＨの各Ｌ−ＲＢの配置パターンを図１２に示すパターン１〜５の中から選択する。パターン１〜５はそれぞれ、１サブバンド単位の配置パターンである。
【００７８】
例えば、セル１における基地局１００の配置部１０２は、図１３に示すように、Ｌ−ＲＢ１に対してパターン１、Ｌ−ＲＢ２に対してパターン４、Ｌ−ＲＢ３に対してパターン３、Ｌ−ＲＢ４に対してパターン２、Ｌ−ＲＢ５に対してパターン５を選択して割り当てる。これにより、セル１では、パイロットシンボルＰがサブキャリアｆ１,ｆ７,ｆ１３,ｆ１９,ｆ２５に配置される場合、移動局＃ＡのＳＣＣＨ＃Ａがサブキャリアｆ２,ｆ９,ｆ１８,ｆ２２,ｆ２９に配置され、移動局＃ＢのＳＣＣＨ＃Ｂがサブキャリアｆ３,ｆ１２,ｆ１４,ｆ２４,ｆ２８に配置され、移動局＃ＣのＳＣＣＨ＃Ｃがサブキャリアｆ４,ｆ１０,ｆ１５,ｆ２３,ｆ２６に配置され、移動局＃ＤのＳＣＣＨ＃Ｄがサブキャリアｆ５,ｆ１１,ｆ１６,ｆ２０,ｆ２７に配置され、移動局＃ＥのＳＣＣＨ＃Ｅがサブキャリアｆ６,ｆ８,ｆ１７,ｆ２１,ｆ３０に配置される。
【００７９】
一方、セル２における基地局１００の配置部１０２は、図１４に示すように、Ｌ−ＲＢ１に対してパターン３、Ｌ−ＲＢ２に対してパターン１、Ｌ−ＲＢ３に対してパターン５、Ｌ−ＲＢ４に対してパターン４、Ｌ−ＲＢ５に対してパターン２を選択して割り当てる。これにより、セル２では、パイロットシンボルＰがサブキャリアｆ１,ｆ７,ｆ１３,ｆ１９,ｆ２５に配置される場合、移動局＃ＡのＳＣＣＨ＃Ａがサブキャリアｆ６,ｆ８,ｆ１８,ｆ２１,ｆ２８に配置され、移動局＃ＢのＳＣＣＨ＃Ｂがサブキャリアｆ２,ｆ９,ｆ１６,ｆ２４,ｆ３０に配置され、移動局＃ＣのＳＣＣＨ＃Ｃがサブキャリアｆ３,ｆ１０,ｆ１４,ｆ２２,ｆ２９に配置され、移動局＃ＤのＳＣＣＨ＃Ｄがサブキャリアｆ４,ｆ１１,ｆ１５,ｆ２３,ｆ２６に配置され、移動局＃ＥのＳＣＣＨ＃Ｅがサブキャリアｆ５,ｆ１２,ｆ１７,ｆ２０,ｆ２７に配置される。
【００８０】
このように、本配置例では、セル１とセル２との間において、同一Ｌ−ＲＢに対して選択するＳＣＣＨの配置パターンを互いに異ならせる。よって、本配置例によれば、基地局間同期システムの場合に、隣接セル間でのＳＣＣＨ同士の干渉をランダム化することができる。よって、本配置例によれば、ＳＣＣＨの送信電力制御の精度の劣化を防止して、ＳＣＣＨの誤り率特性の劣化を防ぐことができる。
【００８１】
また、本配置例によれば、Ｌ−ＲＢ毎に選択可能な配置パターンが図１２に示すパターン１〜５に予め決められているため、各Ｌ−ＲＢに対してパターン１〜５のいずれかを選択して割り当てるという簡易な処理だけで隣接セル間でのＳＣＣＨ同士の干渉をランダム化することができる。
【００８２】
また、本配置例によれば、ＳＣＣＨの組合せを図１２に示すパターン１〜５のすべてにおいて同一として各移動局のＳＣＣＨを各Ｌ−ＲＢに均等に配置するため、基地局間非同期システムの場合には、配置例１と同様の効果を得ることができる。
【００８３】
なお、本配置例では、さらなるランダム化のために、Ｌ−ＲＢ１〜Ｌ−ＲＢ５とパターン１〜５との対応関係をサブフレーム毎に変化させて、各Ｌ−ＲＢの配置パターンをサブフレーム毎に変化させてもよい。
【００８４】
＜ＳＣＣＨ配置例１０（図１５,１６）＞
本配置例は、パイロットシンボルＰが配置されるサブキャリアが隣接セル間で互いに異なる点において配置例８と相違する。
【００８５】
具体的には、セル１のパイロットシンボルＰは図１５に示すようにサブキャリアｆ１,ｆ７,ｆ１３,ｆ１９,ｆ２５に配置されるのに対し、セル２のパイロットシンボルＰは図１６に示すようにサブキャリアｆ３,ｆ９,ｆ１５,ｆ２１,ｆ２７に配置される。
【００８６】
そして、セル１における基地局１００の配置部１０２は、図１５に示すように、移動局＃ＡのＳＣＣＨ＃Ａをサブキャリアｆ２,ｆ１２,ｆ１７,ｆ２２,ｆ２７に配置し、移動局＃ＢのＳＣＣＨ＃Ｂをサブキャリアｆ３,ｆ８,ｆ１８,ｆ２３,ｆ２８に配置し、移動局＃ＣのＳＣＣＨ＃Ｃをサブキャリアｆ４,ｆ９,ｆ１４,ｆ２４,ｆ２９に配置し、移動局＃ＤのＳＣＣＨ＃Ｄをサブキャリアｆ５,ｆ１０,ｆ１５,ｆ２０,ｆ３０に配置し、移動局＃ＥのＳＣＣＨ＃Ｅをサブキャリアｆ６,ｆ１１,ｆ１６,ｆ２１,ｆ２６に配置する。このように、セル１では、Ｌ−ＲＢ１のＳＣＣＨ＃Ａ〜＃Ｅの配置パターンをＬ−ＲＢ毎に１サブキャリアずつ巡回シフトさせて各Ｌ−ＲＢ内におけるＳＣＣＨ＃Ａ〜＃Ｅの配置を互いに異ならせる。
【００８７】
一方、セル２における基地局１００の配置部１０２は、図１６に示すように、移動局＃ＡのＳＣＣＨ＃Ａをサブキャリアｆ１,ｆ１１,ｆ１４,ｆ２４,ｆ２８に配置し、移動局＃ＢのＳＣＣＨ＃Ｂをサブキャリアｆ２,ｆ１２,ｆ１６,ｆ１９,ｆ２９に配置し、移動局＃ＣのＳＣＣＨ＃Ｃをサブキャリアｆ４,ｆ７,ｆ１７,ｆ２０,ｆ３０に配置し、移動局＃ＤのＳＣＣＨ＃Ｄをサブキャリアｆ５,ｆ８,ｆ１８,ｆ２２,ｆ２５に配置し、移動局＃ＥのＳＣＣＨ＃Ｅをサブキャリアｆ６,ｆ１０,ｆ１３,ｆ２３,ｆ２６に配置する。このように、セル２では、Ｌ−ＲＢ１のＳＣＣＨ＃Ａ〜＃Ｅの配置パターンをＬ−ＲＢ毎に２サブキャリアずつ巡回シフトさせて各Ｌ−ＲＢ内におけるＳＣＣＨ＃Ａ〜＃Ｅの配置を互いに異ならせる。
【００８８】
このように、本配置例によれば、ＳＣＣＨのＬ−ＲＢ毎の配置パターンが隣接セル間で互いに異なるため、基地局間同期システムの場合に、隣接セル間でのＳＣＣＨ同士の干渉をランダム化することができる。よって、本配置例によれば、ＳＣＣＨの送信電力制御の精度の劣化を防止して、ＳＣＣＨの誤り率特性の劣化を防ぐことができる。
【００８９】
また、本配置例によれば、セル１のパイロットシンボルＰは、Ｌ−ＲＢ１ではセル２のＳＣＣＨ＃Ａから干渉を受け、Ｌ−ＲＢ２ではセル２のＳＣＣＨ＃Ｃから干渉を受け、Ｌ−ＲＢ３ではセル２のＳＣＣＨ＃Ｅから干渉を受け、Ｌ−ＲＢ４ではセル２のＳＣＣＨ＃Ｂから干渉を受け、Ｌ−ＲＢ５ではセル２のＳＣＣＨ＃Ｄから干渉を受ける。つまり、セル１のパイロットシンボルＰは、セル２のＳＣＣＨ＃Ａ〜＃Ｅのそれぞれから干渉を受ける。
【００９０】
同様に、セル２のパイロットシンボルＰは、Ｌ−ＲＢ１ではセル２のＳＣＣＨ＃Ｂから干渉を受け、Ｌ−ＲＢ２ではセル２のＳＣＣＨ＃Ｃから干渉を受け、Ｌ−ＲＢ３ではセル２のＳＣＣＨ＃Ｄから干渉を受け、Ｌ−ＲＢ４ではセル２のＳＣＣＨ＃Ｅから干渉を受け、Ｌ−ＲＢ５ではセル２のＳＣＣＨ＃Ａから干渉を受ける。つまり、セル２のパイロットシンボルＰも、セル１のＳＣＣＨ＃Ａ〜＃Ｅのそれぞれから干渉を受ける。
【００９１】
よって、本配置例によれば、基地局間同期システムの場合に、セル１およびセル２のＳＣＣＨ＃Ａ〜＃Ｅの各ＳＣＣＨの送信電力が個別に変動しても、セル１のパイロットシンボルがセル２のＳＣＣＨから受ける干渉、および、セル２のパイロットシンボルがセル１のＳＣＣＨから受ける干渉の双方を均一化することができる。パイロットシンボルはＳＣＣＨおよびデータチャネルのチャネル推定、移動局での受信品質の測定等に用いられるため、このようにパイロットシンボルが受ける干渉を均一化させることにより、ＳＣＣＨおよびデータチャネルの受信性能を安定させることができるとともに、ＳＣＣＨの送信電力
制御およびデータチャネルの適応制御の精度を向上させることができる。
【００９２】
さらに、パイロットシンボルは受信品質向上のため、大きい送信電力で送信される場合がある。本配置例によれば、セル１では、Ｌ−ＲＢ１のＳＣＣＨ＃Ｂ，Ｌ−ＲＢ２のＳＣＣＨ＃Ｃ，Ｌ−ＲＢ３のＳＣＣＨ＃Ｄ，Ｌ−ＲＢ４のＳＣＣＨ＃Ｅ，Ｌ−ＲＢ５のＳＣＣＨ＃Ａがセル２のパイロットシンボルＰからそれぞれ干渉を受け、セル２では、Ｌ−ＲＢ１のＳＣＣＨ＃Ａ，Ｌ−ＲＢ２のＳＣＣＨ＃Ｃ，Ｌ−ＲＢ３のＳＣＣＨ＃Ｅ，Ｌ−ＲＢ４のＳＣＣＨ＃Ｂ，Ｌ−ＲＢ５のＳＣＣＨ＃Ｄがセル１のパイロットシンボルＰからそれぞれ干渉を受ける。よって、本配置例によれば、１つのＳＣＣＨが隣接セルのパイロットシンボルから受ける干渉も均一化されるため、配置例８よりも、ＳＣＣＨの誤り率特性を向上させることができる。
【００９３】
また、本配置例によれば、ＳＣＣＨの組合せをＬ−ＲＢ１〜Ｌ−ＲＢ５のすべてにおいて同一として各移動局のＳＣＣＨを各ＲＢに均等に配置するため、基地局間非同期システムの場合には、配置例１と同様の効果を得ることができる。
【００９４】
なお、本配置例ではＬ−ＲＢ１のＳＣＣＨ＃Ａ〜＃Ｅの配置パターンをＬ−ＲＢ毎に巡回シフトさせて各Ｌ−ＲＢ内におけるＳＣＣＨ＃Ａ〜＃Ｅの配置を互いに異ならせたが、巡回シフトに依らない配置方法により各Ｌ−ＲＢ内におけるＳＣＣＨ＃Ａ〜＃Ｅの配置を互いに異ならせて隣接セル間でのパイロットシンボルＰとＳＣＣＨとの上記のような対応を形成してもよい。
【００９５】
＜ＳＣＣＨ配置例１１（図１７,１８）＞
本配置例は、ＳＣＣＨのＬ−ＲＢ毎の配置パターンを予め決められた複数の配置パターンの中から選択する点において配置例１０と相違する。
【００９６】
すなわち、本配置例では、セル１におけるＳＣＣＨの各Ｌ−ＲＢの配置パターンを図１２に示すパターン１〜５の中から選択するとともに、セル２におけるＳＣＣＨの各Ｌ−ＲＢの配置パターンを図１７に示すパターン１〜５の中から選択する。パターン１〜５はそれぞれ、１サブバンド単位の配置パターンである。
【００９７】
例えば、セル１における配置パターンを図１３に示したものとする場合に、セル２における基地局１００の配置部１０２は、図１８に示すように、Ｌ−ＲＢ１に対してパターン３、Ｌ−ＲＢ２に対してパターン１、Ｌ−ＲＢ３に対してパターン５、Ｌ−ＲＢ４に対してパターン４、Ｌ−ＲＢ５に対してパターン２を選択して割り当てる。これにより、セル２では、パイロットシンボルＰがサブキャリアｆ３,ｆ９,ｆ１５,ｆ２１,ｆ２７に配置される場合、移動局＃ＡのＳＣＣＨ＃Ａがサブキャリアｆ６,ｆ７,ｆ１７,ｆ２０,ｆ２８に配置され、移動局＃ＢのＳＣＣＨ＃Ｂがサブキャリアｆ１,ｆ８,ｆ１６,ｆ２４,ｆ３０に配置され、移動局＃ＣのＳＣＣＨ＃Ｃがサブキャリアｆ２,ｆ１０,ｆ１３,ｆ２２,ｆ２９に配置され、移動局＃ＤのＳＣＣＨ＃Ｄがサブキャリアｆ４,ｆ１１,ｆ１４,ｆ２３,ｆ２５に配置され、移動局＃ＥのＳＣＣＨ＃Ｅがサブキャリアｆ５,ｆ１２,ｆ１８,ｆ１９,ｆ２６に配置される。
【００９８】
このように、本配置例によれば、セル１でのＬ−ＲＢ毎に選択可能な配置パターンが図１２に示すパターン１〜５に予め決められているととともに、セル２でのＬ−ＲＢ毎に選択可能な配置パターンが図１７に示すパターン１〜５に予め決められているため、セル毎に各Ｌ−ＲＢに対してパターン１〜５のいずれかを選択して割り当てるという簡易な処理だけで、パイロットシンボルＰが配置されるサブキャリアが隣接セル間で互いに異なる場合でも、隣接セル間でのＳＣＣＨ同士の干渉をランダム化することができる。
【００９９】
また、本配置例によれば、ＳＣＣＨの組合せを図１２に示すパターン１〜５のすべてにおいて同一とするとともに、図１７に示すパターン１〜５のすべてにおいて同一として各移動局のＳＣＣＨを各Ｌ−ＲＢに均等に配置するため、基地局間非同期システムの場合には、配置例１と同様の効果を得ることができる。
【０１００】
なお、本配置例では、さらなるランダム化のために、Ｌ−ＲＢ１〜Ｌ−ＲＢ５とパターン１〜５との対応関係をサブフレーム毎に変化させて、各Ｌ−ＲＢの配置パターンをサブフレーム毎に変化させてもよい。
【０１０１】
＜ＳＣＣＨ配置例１２（図１９,２０）＞
本配置例は、１Ｌ−ＲＢ当たりのサブキャリア数とパイロットシンボル間隔とが一致しない場合の配置例である。
【０１０２】
具体的には、図１９,２０に示すように、１Ｌ−ＲＢ当たりのサブキャリア数が１２サブキャリアであるの対し、パイロットシンボル間隔が６サブキャリアである場合、本配置例では、セル１における配置パターンを図１９に示すものとし、セル２における配置パターンを図２０に示すものとする。つまり、本配置例では、１つのＳＣＣＨを構成するサブキャリアが１Ｌ−ＲＢ内に２サブキャリア存在することになる。
【０１０３】
このように、本配置例によれば、ＳＣＣＨのＬ−ＲＢ毎の配置パターンが隣接セル間で互いに異なるため、基地局間同期システムの場合に、隣接セル間でのＳＣＣＨ同士の干渉をランダム化することができる。よって、本配置例によれば、１Ｌ−ＲＢ当たりのサブキャリア数とパイロットシンボル間隔とが一致しない場合でも、ＳＣＣＨの送信電力制御の精度の劣化を防止して、ＳＣＣＨの誤り率特性の劣化を防ぐことができる。
【０１０４】
また、本配置例によれば、ＳＣＣＨの組合せをＬ−ＲＢ１〜Ｌ−ＲＢ３のすべてにおいて同一として各移動局のＳＣＣＨを各ＲＢに均等に配置するため、基地局間非同期システムの場合には、配置例１と同様の効果を得ることができる。
【０１０５】
さらに、本配置例では、セル１では図１９に示すようにＬ−ＲＢ単位で配置パターンを変化させるのに対し、セル２では図２０に示すようにパイロットシンボル間隔のブロック単位で配置パターンを変化させる。これにより、隣接セル間でのＳＣＣＨ同士の干渉をさらにランダム化することができる。
【０１０６】
なお、セル１およびセル２の双方においてＬ−ＲＢ単位で配置パターンを変化させてもよいし、また、セル１およびセル２の双方においてパイロットシンボル間隔のブロック単位で配置パターンを変化させてもよい。セル１およびセル２の双方においてパイロットシンボル間隔のブロック単位で配置パターンを変化させることにより、隣接セルのパイロットシンボルＰに与える干渉をより低減することができる。
【０１０７】
＜ＳＣＣＨ配置例１３（図２１）＞
本配置例は、ＳＣＣＨ数が１Ｌ−ＲＢ当たりのサブキャリア数よりも多い場合等、送信されるＳＣＣＨの数が１Ｌ−ＲＢ内に配置可能なＳＣＣＨ数よりも多い場合の配置例である。
【０１０８】
具体的には、図２１に示すように、ＳＣＣＨ数がＳＣＣＨ＃Ａ〜＃Ｊの１０個であるに対し、１Ｌ−ＲＢ当たりのサブキャリア数が５サブキャリアである場合、本配置例では、ＳＣＣＨ＃Ａ〜＃Ｅを奇数番目のＬ−ＲＢであるＬ−ＲＢ１,Ｌ−ＲＢ３,Ｌ−ＲＢ５に配置し、ＳＣＣＨ＃Ｆ〜＃Ｊを偶数番目のＬ−ＲＢであるＬ−ＲＢ２,Ｌ−ＲＢ４,Ｌ−ＲＢ６に配置する。これにより、Ｌ−ＲＢ１とＬ−ＲＢ２とで構成されるブロックでの配置パ
ターンと、Ｌ−ＲＢ３とＬ−ＲＢ４とで構成されるブロックでの配置パターンと、Ｌ−ＲＢ５とＬ−ＲＢ６とで構成されるブロックでの配置パターンとを互いに同一にすることができる。
【０１０９】
このように、本配置例によれば、ＳＣＣＨの組合せを２Ｌ−ＲＢ単位で同一として各移動局のＳＣＣＨを２Ｌ−ＲＢ単位で均等に配置するため、基地局間非同期システムにおいてＳＣＣＨ数が１Ｌ−ＲＢ当たりのサブキャリア数よりも多い場合でも、配置例１と同様の効果を得ることができる。
【０１１０】
また、ＳＣＣＨのＬ−ＲＢ毎の配置パターンを隣接セル間で互いに異ならせることにより、基地局間同期システムにおいてＳＣＣＨ数が１Ｌ−ＲＢ当たりのサブキャリア数よりも多い場合でも、隣接セル間でのＳＣＣＨ同士の干渉をランダム化することができるため、ＳＣＣＨの送信電力制御の精度の劣化を防止して、ＳＣＣＨの誤り率特性の劣化を防ぐことができる。
【０１１１】
なお、奇数番目のＬ−ＲＢ（つまりＳＣＣＨ＃Ａ〜＃Ｅが配置されるＬ−ＲＢ）および偶数番目のＬ−ＲＢ（つまりＳＣＣＨ＃Ｆ〜Ｊが配置されるＬ−ＲＢ）のそれぞれにおいて、配置例８のように、ＳＣＣＨの配置パターンを隣接セル間で互いに異ならせてもよい。これにより、配置例８と同様の効果を得ることができる。
【０１１２】
また、奇数番目のＬ−ＲＢ（つまりＳＣＣＨ＃Ａ〜＃Ｅが配置されるＬ−ＲＢ）および偶数番目のＬ−ＲＢ（つまりＳＣＣＨ＃Ｆ〜Ｊが配置されるＬ−ＲＢ）のそれぞれに対し、配置例９のようにして配置パターンを選択してもよい。これにより、配置例９と同様の効果を得ることができる。
【０１１３】
以上、本発明の実施の形態について説明した。
【０１１４】
なお、上記配置例では各ＳＣＣＨを各ＲＢに完全に均等に配置する例を示したが、各ＳＣＣＨが各ＲＢにほぼ均等に配置されれば上記同様の効果を得ることができる。
【０１１５】
また、上記説明で用いたサブフレームは、例えばタイムスロットやフレーム等、他の送信時間単位であってもよい。
【０１１６】
また、上記説明で用いたＲＢは、例えばサブキャリアブロック等、周波数軸上の他の伝送単位であってもよい。
【０１１７】
また、移動局はUE、基地局装置はNode B、サブキャリアはトーンと称されることもある。また、サブバンドは、サブチャネル、サブキャリアブロック、または、チャンクと称されることもある。また、ＣＰは、ガードインターバル（Guard Interval：ＧＩ）と称されることもある。また、ＳＣＣＨはＰＤＣＣＨ（Physical Downlink Control Channel）またはＣＣＥ（Control Channel Element）と称されることもある。また、パイロットシンボルは参照信号（Reference Signal）と称されることもある。また、１サブキャリアと１ＯＦＤＭシンボルとで構成されるリソース単位をＲＥ（Resource Element）と称することもある。さらに、サブバンドは、物理リソースブロック（Physical Resource Block：Ｐ−ＲＢ）、または、単にリソースブロック（Resource Block：ＲＢ）と称されることもある。
【０１１８】
また、ＳＣＣＨでは、移動局ＩＤ、ＲＢ番号、ＭＣＳ情報の他、上り回線割当情報やＡｃｋ／Ｎａｃｋ信号等の制御信号を送信してもよい。
【０１１９】
また、上記説明では、移動局毎に個別に送信電力制御がなされるチャネルの一例としてＳＣＣＨを挙げたが、本発明はこれに限られず、本発明は移動局毎に個別に送信電力がなされるすべてのチャネルに対して適用することができる。
【０１２０】
また、上記説明では、１つのＳＣＣＨでは１つの移動局に対する制御情報を送信するようにしたが、複数の移動局をグループ化し、グループ単位で１つのＳＣＣＨを使用するようにしてもよい。この場合の送信電力制御は、グループ内で最も受信品質が低い移動局に合わせて行われる。
【０１２１】
また、上記説明では、ＳＣＣＨがサブフレームの先頭に配置される例を挙げて説明したが、ＳＣＣＨは、例えばサブフレームの２番目のＯＦＤＭシンボル等、サブフレームの先頭でない位置に配置されてもよい。また、ＳＣＣＨは複数のＯＦＤＭシンボルに渡って配置されてもよい。
【０１２２】
また、上記説明では、ＳＣＣＨとデータチャネルとを時間多重する例を挙げて説明したが、ＳＣＣＨとデータチャネルとを周波数多重してもよい。
【０１２３】
また、上記説明では、ＳＣＣＨを各サブキャリアに配置した後に送信電力制御を行ったが、ＳＣＣＨに対する送信電力制御を行った後に各サブキャリアに配置してもよい。つまり、図１において、配置部１０２と送信電力制御部１０３との位置を入れ替え、配置部１０２の前段に送信電力制御部１０３を置いてもよい。
【０１２４】
また、３ＧＰＰ ＬＴＥ（Long Term Evolution）ではシステム帯域幅がリソースブロック単位で設定されるため、上記配置例のように、ＳＣＣＨの配置パターンをリソースブロック単位で決めることにより、様々なシステム帯域幅に柔軟に対応することができる。
【０１２５】
また、上記実施の形態では、本発明をハードウェアで構成する場合を例にとって説明したが、本発明はソフトウェアで実現することも可能である。
【０１２６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１２８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２９】
２００６年８月１８日出願の特願２００６−２２３５８３および２００７年４月１１日出願の特願２００７−１０４２０９の日本出願に含まれる明細書、図面および要約書の開示内容は、すべて本願に援用される。
【産業上の利用可能性】
【０１３０】
本発明は、移動体通信システム等に適用することができる。
【図面の簡単な説明】
【０１３１】
【図１】本発明の実施の形態に係る基地局の構成を示すブロック図
【図２】本発明の実施の形態に係るＳＣＣＨ配置例１
【図３】本発明の実施の形態に係るＳＣＣＨ配置例２（サブフレーム１）
【図４】本発明の実施の形態に係るＳＣＣＨ配置例２（サブフレーム２）
【図５】本発明の実施の形態に係るＳＣＣＨ配置例３
【図６】本発明の実施の形態に係るＳＣＣＨ配置例４
【図７】本発明の実施の形態に係るＳＣＣＨ配置例５
【図８】本発明の実施の形態に係るＳＣＣＨ配置例６
【図９】本発明の実施の形態に係るＳＣＣＨ配置例７
【図１０】本発明の実施の形態に係るＳＣＣＨ配置例８（セル１）
【図１１】本発明の実施の形態に係るＳＣＣＨ配置例８（セル２）
【図１２】本発明の実施の形態に係るＳＣＣＨ配置例９での配置パターン１〜５
【図１３】本発明の実施の形態に係るＳＣＣＨ配置例９（セル１）
【図１４】本発明の実施の形態に係るＳＣＣＨ配置例９（セル２）
【図１５】本発明の実施の形態に係るＳＣＣＨ配置例１０（セル１）
【図１６】本発明の実施の形態に係るＳＣＣＨ配置例１０（セル２）
【図１７】本発明の実施の形態に係るＳＣＣＨ配置例１１での配置パターン１〜５
【図１８】本発明の実施の形態に係るＳＣＣＨ配置例１１（セル２）
【図１９】本発明の実施の形態に係るＳＣＣＨ配置例１２（セル１）
【図２０】本発明の実施の形態に係るＳＣＣＨ配置例１２（セル２）
【図２１】本発明の実施の形態に係るＳＣＣＨ配置例１３
【手続補正３】
【補正対象書類名】図面
【補正対象項目名】全図
【補正方法】変更
【補正の内容】
【図１】
2008020623.tif 000024
【図２】
2008020623.tif 000025
【図３】
2008020623.tif 000026
【図４】
2008020623.tif 000027
【図５】
2008020623.tif 000028
【図６】
2008020623.tif 000029
【図７】
2008020623.tif 000030
【図８】
2008020623.tif 000031
【図９】
2008020623.tif 000032
【図１０】
2008020623.tif 000033
【図１１】
2008020623.tif 000034
【図１２】
2008020623.tif 000035
【図１３】
2008020623.tif 000036
【図１４】
2008020623.tif 000037
【図１５】
2008020623.tif 000038
【図１６】
2008020623.tif 000039
【図１７】
2008020623.tif 000040
【図１８】
2008020623.tif 000041
【図１９】
2008020623.tif 000042
【図２０】
2008020623.tif 000043
【図２１】
2008020623.tif 000044
【国際調査報告】
2008020623.tif 000045
2008020623.tif 000046
2008020623.tif 000047
2008020623.tif 000048